(57)【特許請求の範囲】
【請求項１】
下りデータの誤り検出結果に基づく応答信号又は上りデータの発生を示す上り制御信号のいずれか１つを互いに異なる符号リソースに割り当てて、前記互いに異なる符号リソースに割り当てられた前記応答信号又は上り制御信号を複数のアンテナからそれぞれ送信する端末装置であって、
下りデータチャネルに割り当てられた前記下りデータを受信する受信手段と、
前記下りデータの誤り検出結果に基づく前記応答信号を生成する生成手段と、
前記互いに異なる符号リソースを用いて、前記応答信号又は前記上り制御信号を送信する送信手段と、
前記応答信号及び前記上り制御信号の発生状況に基づいて、前記応答信号又は前記上り制御信号の送信を制御する制御手段と、を具備し、
前記制御手段は、前記互いに異なる符号リソースである、第１の符号リソース、第２の符号リソース及び第３の符号リソースのうち、
送信単位時間内に前記上り制御信号と前記応答信号とが同時に発生した場合に前記応答信号が割り当てられ、前記送信単位時間内に前記上り制御信号のみが発生した場合に前記上り制御信号が割り当てられる前記第１の符号リソース、又は、前記送信単位時間内に前記応答信号のみが発生した場合に前記応答信号が割り当てられる前記第２の符号リソースのうちいずれかの符号リソースと、
前記送信単位時間内に前記上り制御信号と前記応答信号とが同時に発生した場合及び前記送信単位時間内に前記応答信号のみが発生した場合に前記応答信号が割り当てられ、前記送信単位時間内に前記上り制御信号のみが発生した場合に前記上り制御信号が割り当てられる前記第３の符号リソースと、を用いて前記上り制御信号又は前記応答信号を送信する、
端末装置。
【請求項２】
前記制御手段は、さらに、前記送信単位時間内に前記上り制御信号と前記応答信号とが同時に発生した場合及び前記送信単位時間内に前記上り制御信号のみが発生した場合に、前記第１の符号リソース及び前記第３の符号リソースで同一内容の信号がそれぞれ配置される位相点間の第１の位相差と、
前記送信単位時間内に前記応答信号のみが発生した場合に、前記第２の符号リソース及び前記第３の符号リソースで同一内容の信号がそれぞれ配置される位相点間の第２の位相差と、を互いに異ならせる、
請求項１記載の端末装置。
【請求項３】
前記制御手段は、前記第１の位相差と前記第２の位相差との間の差が最大となるように、前記第１の位相差と前記第２の位相差とを互いに異ならせる、
請求項２記載の端末装置。
【請求項４】
前記制御手段は、前記送信単位時間内に前記上り制御信号と前記応答信号とが同時に発生した場合及び前記送信単位時間内に前記上り制御信号のみが発生した場合における前記第１の符号リソースに割り当てられる信号のコンスタレーションと前記第３の符号リソースに割り当てられる信号のコンスタレーションとを異ならせ、前記送信単位時間内に前記応答信号のみが発生した場合における前記第２の符号リソースに割り当てられる信号のコンスタレーションと前記第３の符号リソースに割り当てられる信号のコンスタレーションとを同一にする、
請求項２記載の端末装置。
【請求項５】
前記制御手段は、前記送信単位時間内に前記上り制御信号と前記応答信号とが同時に発生した場合及び前記送信単位時間内に前記上り制御信号のみが発生した場合、前記第１の符号リソースに割り当てられる信号のコンスタレーションに対して、前記第３の符号リソースに割り当てられる信号のコンスタレーションを９０度回転させる、
請求項４記載の端末装置。
【請求項６】
前記制御手段は、前記送信単位時間内に前記上り制御信号と前記応答信号とが同時に発生した場合及び前記送信単位時間内に前記上り制御信号のみが発生した場合、前記第３の符号リソースに割り当てられる信号にｅｘｐ（ｊπ／２）を乗算する、
請求項４記載の端末装置。
【請求項７】
下りデータの誤り検出結果に基づく応答信号又は上りデータの発生を示す上り制御信号のいずれか１つを互いに異なる符号リソースに割り当てて、前記互いに異なる符号リソースに割り当てられた前記応答信号又は上り制御信号を複数のアンテナからそれぞれ送信する端末装置における信号送信制御方法であって、
下りデータチャネルに割り当てられた前記下りデータを受信する受信ステップと、
前記下りデータの誤り検出結果に基づく前記応答信号を生成する生成ステップと、
前記互いに異なる符号リソースを用いて、前記応答信号又は前記上り制御信号を送信する送信ステップと、
前記応答信号及び前記上り制御信号の発生状況に基づいて、前記応答信号又は前記上り制御信号の送信を制御する制御ステップと、を具備し、
前記制御ステップは、前記互いに異なる符号リソースである、第１の符号リソース、第２の符号リソース及び第３の符号リソースのうち、
送信単位時間内に前記上り制御信号と前記応答信号とが同時に発生した場合に前記応答信号が割り当てられ、前記送信単位時間内に前記上り制御信号のみが発生した場合に前記上り制御信号が割り当てられる前記第１の符号リソース、又は、前記送信単位時間内に前記応答信号のみが発生した場合に前記応答信号が割り当てられる前記第２の符号リソースのうちいずれかの符号リソースと、
前記送信単位時間内に前記上り制御信号と前記応答信号とが同時に発生した場合及び前記送信単位時間内に前記応答信号のみが発生した場合に前記応答信号が割り当てられ、前記送信単位時間内に前記上り制御信号のみが発生した場合に前記上り制御信号が割り当てられる前記第３の符号リソースと、を用いて前記上り制御信号又は前記応答信号を送信する、
信号送信制御方法。
【発明の詳細な説明】
【技術分野】
【０００１】
本発明は、端末装置及び信号送信制御方法に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局が予め定められた通信リソースを用いて同期信号(Synchronization Channel：ＳＣＨ)及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ(例えば、周波数帯域幅など)を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ(Physical Downlink Control CHannel)を介して制御情報を送信する。【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。ただし、この応答信号(つまり、ＡＣＫ／ＮＡＣＫ信号)の変調にはＢＰＳＫ（Binary Phase Shift Keying）が用いられている。また、この応答信号のフィードバックには、ＰＵＣＣＨ(Physical Uplink Control Channel)等の上り回線制御チャネルが用いられる。そして、受信した応答信号がＮＡＣＫを示す場合には、基地局は、端末に対して再送データを送信する。【０００６】
ここで、基地局から送信される上記制御情報（すなわち、下り割当制御情報）には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００７】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。こうして下り回線の通信リソースが効率良く使用される。【０００８】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ(Discrete Fourier Transform)系列によって拡散され、ＰＵＣＣＨ内でコード多重されている。図１において（Ｗ０,Ｗ１,Ｗ２,Ｗ３）は系列長４のウォルシュ系列を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボル内に１次拡散される。次いで１次拡散後の応答信号がＷ０〜Ｗ３、Ｆ０〜Ｆ２それぞれに対応させられてＩＦＦＴ（Inverse Fast Fourier Transform）される。周波数軸上で系列長１２のＺＡＣ系列によって拡散された応答信号は、このＩＦＦＴにより時間軸上の系列長１２のＺＡＣ系列に変換される。そして、ＩＦＦＴ後の信号がさらにウォルシュ系列（系列長４）、ＤＦＴ系列(系列長３)を用いて２次拡散される。【０００９】
ここで、異なる端末からそれぞれ送信される応答信号間では、異なる巡回シフト量（Cyclic shift Index）に対応する系列又は異なる直交符号系列（Orthogonal cover Index：OC Index）（すなわち、ウォルシュ系列とＤＦＴ系列の組）を用いて拡散されている。よって、基地局では、従来の逆拡散処理及び相関処理を用いることにより、これらのコード多重された複数の応答信号を分離することができる（非特許文献４参照）。【００１０】
また、３ＧＰＰ  ＬＴＥよりも更なる通信の高速化を実現する３ＧＰＰ  ＬＴＥ−Ａｄｖａｎｃｅｄの標準化が開始された。３ＧＰＰ  ＬＴＥ−Ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−Ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。【００１１】
ＬＴＥ−Ａシステムにおいては、ＬＴＥシステムにおける伝送速度の数倍もの超高速伝送速度による通信、及び、ＬＴＥシステムに対するバックワードコンパチビリティーを同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、又は、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、又は、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがある。【００１２】
ところで、前述した上り回線制御チャネル（ＰＵＣＣＨ）は、端末側から送信すべき上り回線データの発生を示す上り制御信号であるＳＲ（Scheduling Request）（ＳＲＩ：Scheduling Request Indicatorと表現されることもある。）の伝送にも用いられる。基地局は、端末との間で接続を確立した際、ＳＲの送信に用いるべきリソース（以下、ＳＲリソースという）を各端末に対して個別に割り当てる。また、このＳＲにはＯＯＫ（On-Off-Keying）が適用されており、基地局側では、端末がＳＲリソースを用いて任意の信号を送信しているか否かに基づいて、端末からのＳＲを検出する。また、ＳＲには前述した応答信号と同様にして、ＺＡＣ系列、ウォルシュ系列及びＤＦＴ系列を用いた拡散が適用される。【００１３】
ＬＴＥシステムでは、ＳＲと応答信号とが同一サブフレーム内で発生する場合がある。この場合、端末側でＳＲと応答信号とをコード多重して送信すると、端末が送信する信号の合成波形のＰＡＰＲ（Peak to Average Power Ratio）が大きく劣化してしまう。しかし、ＬＴＥシステムでは、端末のアンプ効率を重要視するため、端末側でＳＲと応答信号とが同一サブフレーム内で発生した場合には、端末は、応答信号の送信に用いるべきリソース（以下、ＡＣＫ／ＮＡＣＫリソースという）を用いずに、端末毎に予め個別に割り当てられたＳＲリソースを用いて応答信号を送信する。これにより、端末が送信する信号の合成波形のＰＡＰＲを低く抑えることができる。このとき、基地局側では、ＳＲリソースが用いられているか否かに基づいて、端末側からのＳＲを検出する。さらに、基地局側では、ＳＲリソース（ＳＲリソースが用いられていない場合にはＡＣＫ／ＮＡＣＫリソース）で送信された信号の位相（すなわち、ＢＰＳＫの復調結果）に基づいて、端末がＡＣＫ又はＮＡＣＫのいずれを送信したかを判定する。【００１４】
更に、ＬＴＥ−Ａシステムでは、端末が複数の送信アンテナを具備することが想定されており、上記ＳＲ又は応答信号に対して互いに異なる複数の符号リソースを用いたＳＣＴＤ（Space Code Transmit Diversity。又は、ＳＯＲＴＤ（Spatial Orthogonal-Resource Transmit Diversity）と呼ばれることもある）の適用が検討されている。ＳＣＴＤでは、例えば、基地局が１つの応答信号に対して２つのＡＣＫ／ＮＡＣＫリソースを割り当て、端末では異なる符号リソースにそれぞれ割り当てられた同一の応答信号を２本のアンテナでそれぞれ送信する（非特許文献５参照）。
【先行技術文献】
【非特許文献】
【００１５】
【非特許文献１】3GPP TS 36.211 V8.7.0, “Physical Channels and Modulation (Release 8),” March 2009
【非特許文献２】3GPP TS 36.212 V8.7.0, “Multiplexing and channel coding (Release 8),” March 2009
【非特許文献３】3GPP TS 36.213 V8.7.0, “Physical layer procedures (Release 8),” March 2009
【非特許文献４】Seigo Nakao, Tomofumi Takata, Daichi Imamura, and Katsuhiko Hiramatsu, “Performance enhancement of E-UTRA uplink control channel in fast fading environments,” Proceeding of IEEE VTC 2009 spring, April. 2009
【非特許文献５】中尾，吉田，福岡，今村，「ＬＴＥ−Ａｄｖａｎｃｅｄ上り制御チャネルにおける送信ダイバーシチの必要性に関する検討」，信学技報RCS2009-63，2009年7月（S.Nakao, T.Yoshida, M.Fukuoka, D.Imamura, "Considerations on the necessity of Tx diversity schemes for LTE-Advanced uplink control channels," IEICE technical report RCS2009-63, July, 2009）
【発明の概要】
【発明が解決しようとする課題】
【００１６】
上述したように、ＳＲリソースとＡＣＫ／ＮＡＣＫリソースとは同一のフォーマットを有し、ＳＲと応答信号とを同時に送信する際には、端末はＳＲリソースを用いて応答信号を送信する。ここで、ＳＲ及び応答信号の送信にＳＣＴＤが適用される場合には、ＡＣＫ／ＮＡＣＫリソース及びＳＲリソースをそれぞれ複数個用意する必要があり、上り制御チャネル（ＰＵＣＣＨ）のオーバーヘッドが増加してしまう。【００１７】
例えば、図２に示すように、ＡＣＫ／ＮＡＣＫリソース及びＳＲリソースをそれぞれ２つの異なる符号リソースに割り当てる場合について説明する。基地局は、図２に示す下り単位バンドにおいて、ＰＤＣＣＨに含まれるＬ１／Ｌ２ＣＣＨ（１つ又は複数のＣＣＥによって構成されるチャネル）を用いて、下り回線データが送信されるリソースを示す下り割当制御情報を送信する。また、基地局は、図２に示すように、上り単位バンドのＰＵＣＣＨに含まれる任意の２つのＰＵＣＣＨリソースを、ＳＲ向けのＰＵＣＣＨリソース（ＳＲリソース）として予め割り当てる。また、端末は、下り単位バンドで下り割当制御情報が占有していたＣＣＥ（ＰＤＣＣＨ）にそれぞれ関連付けられた２つのＰＵＣＣＨリソースを、応答信号向けのＰＵＣＣＨリソース（ＡＣＫ／ＮＡＣＫリソース）として用いる。また、ここでは、端末は、２本のアンテナを具備するものとする。【００１８】
まず、図３Ａに示すように、端末がＳＲ及び応答信号を同時に送信する場合、端末は、図２に示す下りデータチャネル（ＰＤＳＣＨ）で受信した下り回線データ（ＤＬ  ｄａｔａ）に対する応答信号（「Ａ／Ｎ」）を、図３に示す上り単位バンドのＰＵＣＣＨに含まれる２つのＳＲリソースに割り当てる。そして、端末は、２つのＳＲリソースに割り当てられた応答信号（「Ａ／Ｎ」）を２本のアンテナからそれぞれ送信する。【００１９】
次いで、図３Ｂに示すように、端末があるサブフレーム内で応答信号のみを送信する場合、端末は、図２に示すＰＤＳＣＨで受信した下り回線データ（ＤＬ  ｄａｔａ）に対する応答信号（「Ａ／Ｎ」）を、図３に示す上り単位バンドのＰＵＣＣＨに含まれる２つのＡＣＫ／ＮＡＣＫリソースに割り当てる。そして、端末は、２つのＡＣＫ／ＮＡＣＫリソースに割り当てられた応答信号（「Ａ／Ｎ」）を２本のアンテナからそれぞれ送信する。【００２０】
次いで、図３Ｃに示すように、端末があるサブフレーム内でＳＲのみを送信する場合、端末は、ＳＲを、図３に示す上り単位バンドのＰＵＣＣＨに含まれる２つのＳＲリソースに割り当てる。そして、端末は、２つのＳＲリソースに割り当てられたＳＲを２本のアンテナからそれぞれ送信する。【００２１】
図３Ａ〜Ｃに示すように、ＳＲ及び応答信号の送信にＳＣＴＤを適用した場合には、ＳＲリソース及びＡＣＫ／ＮＡＣＫリソースをそれぞれ２個ずつ用意する必要がある。また、図３Ａ〜Ｃに示すように、いずれの場合においても、端末は、ＳＲ及び応答信号に対してＳＣＴＤを適用する場合、２つのＳＲリソース及び２つのＡＣＫ／ＮＡＣＫリソースの４つの互いに異なる符号リソースのうち、いずれか２つの符号リソースを用いてＳＲ又は応答信号を送信する。つまり、端末では、４つの符号リソース（２つのＳＲリソース及び２つのＡＣＫ／ＮＡＣＫリソース）のうち２つの符号リソースは常に使用されない。【００２２】
このように、ＳＲ及び応答信号の送信にＳＣＴＤを適用した場合には、ＳＲリソース及びＡＣＫ／ＮＡＣＫリソースを複数用意する必要がある。さらに、同一サブフレーム内では、複数のＡＣＫ／ＮＡＣＫリソース及び複数のＳＲリソースのうち半数は使用されないため、リソースの無駄が多くなってしまう。すなわち、ＳＲ及び応答信号の送信にＳＣＴＤを適用した場合には、上り制御チャネル（ＰＵＣＣＨ）のオーバーヘッドが無駄に増加してしまう。【００２３】
本発明の目的は、ＳＲ及び応答信号の送信にＳＣＴＤを適用した場合でも、上り制御チャネル（ＰＵＣＣＨ）のオーバーヘッドが増加することを抑えることができる端末装置及び信号送信制御方法を提供することである。
【課題を解決するための手段】
【００２４】
本発明の端末装置は、下りデータの誤り検出結果に基づく応答信号又は上りデータの発生を示す上り制御信号のいずれか１つを互いに異なる符号リソースに割り当てて、前記互いに異なる符号リソースに割り当てられた前記応答信号又は上り制御信号を複数のアンテナからそれぞれ送信する端末装置であって、下りデータチャネルに割り当てられた前記下りデータを受信する受信手段と、前記下りデータの誤り検出結果に基づく前記応答信号を生成する生成手段と、前記互いに異なる符号リソースを用いて、前記応答信号又は前記上り制御信号を送信する送信手段と、前記応答信号及び前記上り制御信号の発生状況に基づいて、前記応答信号又は前記上り制御信号の送信を制御する制御手段と、を具備し、前記制御手段は、前記互いに異なる符号リソースである、第１の符号リソース、第２の符号リソース及び第３の符号リソースのうち、送信単位時間内に前記上り制御信号と前記応答信号とが同時に発生した場合に前記応答信号が割り当てられ、前記送信単位時間内に前記上り制御信号のみが発生した場合に前記上り制御信号が割り当てられる前記第１の符号リソース、又は、前記送信単位時間内に前記応答信号のみが発生した場合に前記応答信号が割り当てられる前記第２の符号リソースのうちいずれかの符号リソースと、前記送信単位時間内に前記上り制御信号と前記応答信号とが同時に発生した場合及び前記送信単位時間内に前記応答信号のみが発生した場合に前記応答信号が割り当てられ、前記送信単位時間内に前記上り制御信号のみが発生した場合に前記上り制御信号が割り当てられる前記第３の符号リソースと、を用いて前記上り制御信号又は前記応答信号を送信する構成を採る。【００２５】
本発明の信号送信制御方法は、下りデータの誤り検出結果に基づく応答信号又は上りデータの発生を示す上り制御信号のいずれか１つを互いに異なる符号リソースに割り当てて、前記互いに異なる符号リソースに割り当てられた前記応答信号又は上り制御信号を複数のアンテナからそれぞれ送信する端末装置における信号送信制御方法であって、下りデータチャネルに割り当てられた前記下りデータを受信する受信ステップと、前記下りデータの誤り検出結果に基づく前記応答信号を生成する生成ステップと、前記互いに異なる符号リソースを用いて、前記応答信号又は前記上り制御信号を送信する送信ステップと、前記応答信号及び前記上り制御信号の発生状況に基づいて、前記応答信号又は前記上り制御信号の送信を制御する制御ステップと、を具備し、前記制御ステップは、前記互いに異なる符号リソースである、第１の符号リソース、第２の符号リソース及び第３の符号リソースのうち、送信単位時間内に前記上り制御信号と前記応答信号とが同時に発生した場合に前記応答信号が割り当てられ、前記送信単位時間内に前記上り制御信号のみが発生した場合に前記上り制御信号が割り当てられる前記第１の符号リソース、又は、前記送信単位時間内に前記応答信号のみが発生した場合に前記応答信号が割り当てられる前記第２の符号リソースのうちいずれかの符号リソースと、前記送信単位時間内に前記上り制御信号と前記応答信号とが同時に発生した場合及び前記送信単位時間内に前記応答信号のみが発生した場合に前記応答信号が割り当てられ、前記送信単位時間内に前記上り制御信号のみが発生した場合に前記上り制御信号が割り当てられる前記第３の符号リソースと、を用いて前記上り制御信号又は前記応答信号を送信するようにする。
【発明の効果】
【００２６】
本発明によれば、ＳＲ及び応答信号の送信にＳＣＴＤを適用した場合でも、上り制御チャネル（ＰＵＣＣＨ）のオーバーヘッドが増加することを抑えることができる。
【図面の簡単な説明】
【００２７】
【図１】応答信号及び参照信号の拡散方法を示す図
【図２】ＳＲ及び応答信号の送信にＳＣＴＤが適用される場合のＰＵＣＣＨを示す図
【図３】ＳＲの発生状況及び応答信号の発生状況に応じた端末の送信制御処理を示す図
【図４】本発明の実施の形態１に係る基地局の構成を示すブロック図
【図５】本発明の実施の形態１に係る端末の構成を示すブロック図
【図６】本発明の実施の形態１に係る端末の動作を示す図
【図７】本発明の実施の形態２に係る基地局における尤度判定処理を示す図
【図８】本発明の実施の形態２に係る基地局における合成処理を示す図
【図９】本発明の実施の形態２に係る基地局の構成を示すブロック図
【図１０】本発明の実施の形態２に係る端末の構成を示すブロック図
【図１１】本発明の実施の形態２に係る端末の動作を示す図
【図１２】本発明の実施の形態２に係る基地局の動作を示す図
【図１３】本発明の実施の形態３に係る基地局の構成を示すブロック図
【図１４】本発明の実施の形態３に係る端末の構成を示すブロック図
【図１５】本発明の実施の形態３に係る端末の動作を示す図
【図１６】本発明の実施の形態３に係る端末の動作を示す図
【図１７】本発明の実施の形態２に係るバリエーションを示す図
【発明を実施するための形態】
【００２８】
以下、本発明の実施の形態について図面を参照して詳細に説明する。なお、各実施の形態において、同一の構成要素には同一の符号を付し、その説明は重複するので省略する。
【００２９】
（実施の形態１）
［基地局の構成］
図４は、本実施の形態に係る基地局１００の構成を示すブロック図である。図４において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、判定部１１８と、再送制御信号生成部１１９とを有する。
【００３０】
制御部１０１は、後述するリソース割当対象端末２００に対して、制御情報を送信するための下りリソース（つまり、下り制御情報割当リソース）、及び、当該制御情報に含まれる、下り回線データを送信するための下りリソース（つまり、下りデータ割当リソース）を割り当てる（Assignする）。また、下り制御情報割当リソースは、下り単位バンドにおける下り制御チャネル（ＰＤＣＣＨ）に対応するリソース内で選択される。また、下りデータ割当リソースは、下り単位バンドにおける下りデータチャネル（ＰＤＳＣＨ）に対応するリソース内で選択される。また、リソース割当対象端末２００が複数存在する場合には、制御部１０１は、リソース割当対象端末２００のそれぞれに異なるリソースを割り当てる。
【００３１】
下り制御情報割当リソースは、上記したＬ１／Ｌ２ＣＣＨと同等である。すなわち、下り制御情報割当リソースは、１つ又は複数のＣＣＥから構成される。また、下り制御情報割当リソースに含まれる各ＣＣＥは、上り制御チャネル（ＰＵＣＣＨ）の構成リソースと１対１に対応づけられている。ただし、ＣＣＥとＰＵＣＣＨ構成リソースとの関連付けは、ＬＴＥシステム向けに報知された下り単位バンドと上り単位バンドの関連付けにおいてなされる。
【００３２】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００３３】
そして、制御部１０１は、制御情報生成部１０２に対して、下りデータ割当リソースに関する情報を出力する。また、制御部１０１は、符号化部１０３に対して、制御情報を送信する際に用いる符号化率に関する情報を出力する。また、制御部１０１は、送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。
【００３４】
制御情報生成部１０２は、下りデータ割当リソースを含む制御情報を生成して符号化部１０３へ出力する。また、リソース割当対象端末２００が複数存在する場合には、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」と呼ばれることがある。
【００３５】
符号化部１０３は、制御部１０１から受け取る符号化率に従って、制御情報生成部１０２から入力される制御情報を符号化し、符号化した制御情報を変調部１０４へ出力する。
【００３６】
変調部１０４は、符号化後の制御情報を変調し、得られた変調信号をマッピング部１０８へ出力する。
【００３７】
符号化部１０５は、送信宛先端末２００毎の送信データ（つまり、下り回線データ）及び制御部１０１からの符号化率情報を入力として、送信データを符号化率情報の示す符号化率で符号化し、データ送信制御部１０６に出力する。
【００３８】
データ送信制御部１０６は、初回送信時には、符号化後の送信データを保持するとともに符号化後の送信データを変調部１０７へ出力する。なお、符号化後の送信データは、送信宛先端末２００毎に保持される。また、データ送信制御部１０６は、再送制御信号生成部１１９から受け取る再送制御信号が再送命令を示す場合には、当該再送制御信号に対応する保持データを、変調部１０７へ出力する。また、データ送信制御部１０６は、再送制御信号生成部１１９から受け取る再送制御信号が再送しないことを示す場合には、当該再送制御信号に対応する保持データを削除する。この場合には、データ送信制御部１０６は、次の初回送信データを変調部１０７へ出力する。
【００３９】
変調部１０７は、データ送信制御部１０６から受け取る符号化後の送信データを変調し、変調信号をマッピング部１０８へ出力する。
【００４０】
マッピング部１０８は、制御部１０１から受け取る下り制御情報割当リソースの示すリソース（ＰＤＣＣＨ内のリソース）に、変調部１０４から受け取る制御情報の変調信号（下り割当制御情報）をマッピングし、ＩＦＦＴ部１０９へ出力する。
【００４１】
また、マッピング部１０８は、制御部１０１から受け取る下りデータ割当リソースの示すリソース（ＰＤＳＣＨ内のリソース）に、変調部１０７から受け取る送信データの変調信号（下り回線データ）をマッピングし、ＩＦＦＴ部１０９へ出力する。
【００４２】
マッピング部１０８にて下り単位バンドにおける複数のサブキャリアにマッピングされた制御情報及び送信データ（下り回線データ）は、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅及びアップコンバート等の送信処理が施され、アンテナを介して端末２００へ送信される。
【００４３】
無線受信部１１２は、端末２００から送信された、上り制御チャネル信号（ＰＵＣＣＨ信号）をアンテナを介して受信し、受信信号に対しダウンコンバート、Ａ／Ｄ変換等の受信処理を行う。なお、ＰＵＣＣＨ信号には、応答信号、ＳＲ及び参照信号が含まれる可能性がある。
【００４４】
ＣＰ除去部１１３は、受信処理後の受信信号に付加されているＣＰを除去する。
【００４５】
ＰＵＣＣＨ抽出部１１４は、受信信号に含まれるＰＵＣＣＨ信号から、ＳＲリソース、ＡＣＫ／ＮＡＣＫリソース、及び、ＳＲ送信時及び応答信号送信時で共通に用いられるリソース（以下、「共通リソース」と呼ぶ）を抽出し、抽出したリソースに対応するＰＵＣＣＨ信号を、各リソースに対応する処理系統毎に振り分ける。なお、端末２００では、ＳＲリソース、ＡＣＫ／ＮＡＣＫリソース及び共通リソースの互いに異なる３種類の符号リソースのうち、ＡＣＫ／ＮＡＣＫリソース及び共通リソースの２つのリソース、又は、ＳＲリソース及び共通リソースの２つのリソースを用いて、上り制御情報（すなわち、応答信号、ＳＲ、又は、ＳＲ及び応答信号の両方）が送信される。
【００４６】
基地局１００には、抽出された前記リソースのそれぞれに対する処理を行う逆拡散部１１５及び相関処理部１１７の処理系統が設けられている。具体的には、逆拡散部１１５−１及び相関処理部１１７−１は前記ＳＲリソースに対応付けられており、逆拡散部１１５−２及び相関処理部１１７−２は前記ＡＣＫ／ＮＡＣＫリソースに対応付けられており、逆拡散部１１５−３及び相関処理部１１７−３は前記共通リソースに対応付けられている。
【００４７】
具体的には、逆拡散部１１５は、端末２００からのＳＲリソース、ＡＣＫ／ＮＡＣＫリソース又は共通リソースにそれぞれ対応するウォルシュ系列（データ部分の２次拡散に用いられる符号）及びＤＦＴ系列（参照信号部分の拡散に用いられる符号）を用いて、これらのリソースを介して受信した信号を逆拡散し、逆拡散後の信号を相関処理部１１７に出力する。
【００４８】
系列制御部１１６は、端末２００から送信されるＳＲリソース、ＡＣＫ／ＮＡＣＫリソース又は共通リソースのデータ部分及び参照信号部分にそれぞれ対応するＺＡＣ系列を生成する。また、系列制御部１１６は、これらのリソースに対応付けて、信号を抽出すべき相関窓を特定する。そして、系列制御部１１６は、特定した相関窓を示す情報及び生成したＺＡＣ系列を相関処理部１１７に出力する。
【００４９】
相関処理部１１７は、系列制御部１１６から入力される相関窓を示す情報及びＺＡＣ系列を用いて、逆拡散後の信号と前記ＺＡＣ系列との相関値を、データ部分（すなわち、図１に示すＳ０〜Ｓ３）及び参照信号部分（すなわち、図１に示すＲ０〜Ｒ２）の別々に求める。そして、相関処理部１１７は、求めた相関値に関する情報を判定部１１８に出力する。
【００５０】
判定部１１８は、相関処理部１１７から入力される相関値に基づいて、ＳＲ及び応答信号が端末から送信されているか否かを判定する。すなわち、判定部１１８は、ＳＲリソース及び共通リソースの組、又は、ＡＣＫ／ＮＡＣＫリソース及び共通リソースの組のうちいずれが端末２００によって用いられているかを判定する。
【００５１】
例えば、判定部１１８は、端末が下り回線データに対する応答信号を送信すべきタイミングにおいて、端末２００によりＳＲリソース及び共通リソースの組が用いられていると判定した場合には、端末２００からはＳＲ及び応答信号の双方が送信されていると判定する。また、判定部１１８は、端末が下り回線データに対する応答信号を送信すべきタイミング以外のタイミングにおいて、端末２００によりＳＲリソース及び共通リソースの組が用いられていると判定した場合には、端末２００からはＳＲのみが送信されていると判定する。また、判定部１１８は、端末２００によりＡＣＫ／ＮＡＣＫリソース及び共通リソースの組が用いられていると判定した場合には、端末２００からは応答信号のみが送信されていると判定する。また、判定部１１８は、端末によりいずれのリソースも用いられていないと判定した場合には、端末２００からはＳＲも応答信号も送信されていないと判定する。
【００５２】
更に、判定部１１８は、端末２００がＳＲを送信していると判定した場合にはＳＲに関する情報を上り回線リソース割当制御部（図示せず）に出力する。また、判定部１１８は、端末２００が応答信号を送信していると判定した場合には、更に、当該応答信号がＡＣＫ又はＮＡＣＫのいずれを示しているかを例えば同期検波によって判定する。そして、判定部１１８は、端末毎の判定結果（ＡＣＫ又はＮＡＣＫ）を再送制御信号生成部１１９に出力する。また、判定部１１８は、端末２００が応答信号を送信していないと判定した場合にはＤＴＸ情報を再送制御信号生成部１１９へ出力する。
【００５３】
また、上り回線リソース割当制御部（図示せず）がＳＲを受け取ると、当該端末２００が上り回線データを送信できるように、基地局１００は、上りデータ割当リソースを通知する上り割当制御情報を端末２００へ送信する。このようにして、基地局１００は、上り制御チャネルに基づいて、端末２００への上り回線データ向けのリソース割当の要否を判断する。なお、上り回線リソース割当制御部における動作の詳細、及び、基地局１００における、端末２００に対する上り回線データ向けのリソース割当動作の詳細については省略する。
【００５４】
再送制御信号生成部１１９は、判定部１１８から入力される応答信号に関する判定結果（ＡＣＫ又はＮＡＣＫ）又はＤＴＸ情報に基づいて、下り単位バンドで送信したデータ（下り回線データ）を再送すべきか否かを判定し、判定結果に基づいて再送制御信号を生成する。具体的には、再送制御信号生成部１１９は、ＮＡＣＫを示す応答信号又はＤＴＸを受け取る場合には、再送命令を示す再送制御信号を生成して、再送制御信号をデータ送信制御部１０６へ出力する。また、再送制御信号生成部１１９は、ＡＣＫを示す応答信号を受け取る場合には、再送しないことを示す再送制御信号を生成して、再送制御信号をデータ送信制御部１０６へ出力する。
【００５５】
［端末の構成］
図５は、本実施の形態に係る端末２００の構成を示すブロック図である。図５において、端末２００は、無線受信部２０１と、ＣＰ除去部２０２と、ＦＦＴ部２０３と、抽出部２０４と、復調部２０５と、復号部２０６と、判定部２０７と、制御部２０８と、復調部２０９と、復号部２１０と、ＣＲＣ部２１１と、応答信号生成部２１２と、上り制御チャネル信号生成部２１３と、無線送信部２１４とを有する。また、図５に示す端末２００は、２本のアンテナ１、２を有する。
【００５６】
無線受信部２０１は、基地局１００から送信されたＯＦＤＭ信号をアンテナ１、２を介して受信し、受信ＯＦＤＭ信号に対しダウンコンバート、Ａ／Ｄ変換等の受信処理を行う。なお、受信ＯＦＤＭ信号には、ＰＤＳＣＨ内のリソースに割り当てられたＰＤＳＣＨ信号（下り回線データ）又はＰＤＣＣＨ内のリソースに割り当てられたＰＤＣＣＨ信号（下り割当制御情報）が含まれる。
【００５７】
ＣＰ除去部２０２は、受信処理後のＯＦＤＭ信号に付加されているＣＰを除去する。
【００５８】
ＦＦＴ部２０３は、受信ＯＦＤＭ信号をＦＦＴして周波数領域信号に変換し、得られた受信信号を抽出部２０４へ出力する。
【００５９】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。抽出された下り制御チャネル信号は、復調部２０５へ出力される。
【００６０】
また、抽出部２０４は、判定部２０７から受け取る自機宛の下りデータ割当リソースに関する情報に基づいて、受信信号から下り回線データ（下りデータチャネル信号（ＰＤＳＣＨ信号））を抽出し、復調部２０９へ出力する。
【００６１】
復調部２０５は、抽出部２０４から受け取る下り制御チャネル信号を復調し、得られた復調結果を復号部２０６に出力する。
【００６２】
復号部２０６は、入力される符号化率情報に従って、復調部２０５から受け取る復調結果を復号して、得られた復号結果を判定部２０７に出力する。
【００６３】
判定部２０７は、復号部２０６から受け取る復号結果に含まれる制御情報が自機宛の制御情報であるか否かをブラインド判定する。この判定は、上記した抽出単位に対応する復号結果を単位として行われる。例えば、判定部２０７は、自機の端末ＩＤでＣＲＣビットをデマスキングし、ＣＲＣ＝ＯＫ（誤り無し）となった制御情報を自機宛の制御情報であると判定する。そして、判定部２０７は、自機宛の制御情報に含まれる、自機に対する下りデータ割当リソースに関する情報を抽出部２０４へ出力する。
【００６４】
また、判定部２０７は、自機宛の制御情報がマッピングされていたＣＣＥを特定し、特定したＣＣＥの識別情報を制御部２０８へ出力する。
【００６５】
制御部２０８は、判定部２０７から受け取るＣＣＥの識別情報が示すＣＣＥに対応するＰＵＣＣＨリソース(周波数・符号)をＡＣＫ／ＮＡＣＫリソースとして特定する。そして、制御部２０８は、特定したＡＣＫ／ＮＡＣＫリソース、及び、基地局１００から予め通知されているＳＲリソース、共通リソースにそれぞれ対応するＺＡＣ系列及び循環シフト量を、上り制御チャネル信号生成部２１３の拡散部２２２へ出力し、周波数リソース情報をＩＦＦＴ部２２３に出力する。また、制御部２０８は、参照信号としてのＺＡＣ系列及び周波数リソース情報をＩＦＦＴ部２２６へ出力し、応答信号の２次拡散に用いるべきウォルシュ系列を拡散部２２５へ出力し、参照信号の２次拡散に用いるべきＤＦＴ系列を拡散部２２８へ出力する。
【００６６】
具体的には、制御部２０８は、共通リソースに対応する上記情報（ＺＡＣ系列、循環シフト量、周波数リソース情報、ウォルシュ系列及びＤＦＴ系列）を上り制御チャネル信号生成部２１３−２に出力する。また、制御部２０８は、上り回線データ生成部（図示せず）からＳＲを受け取った場合、ＳＲリソースに対応する上記情報（ＺＡＣ系列、循環シフト量、周波数リソース情報、ウォルシュ系列及びＤＦＴ系列）を上り制御チャネル信号生成部２１３−１に出力する。また、制御部２０８は、上り回線データ生成部（図示せず）からＳＲを受け取らない場合には、ＡＣＫ／ＮＡＣＫリソースに対応する上記情報（ＺＡＣ系列、循環シフト量、周波数リソース情報、ウォルシュ系列及びＤＦＴ系列）を上り制御チャネル信号生成部２１３−１に出力する。
【００６７】
また、制御部２０８は、ＳＲを受け取ったサブフレームで送信すべき応答信号が存在しない場合（すなわち、下り割当制御情報を１つも検出しなかった場合）、応答信号生成部２１２に対して「ＮＡＣＫ」を上り制御チャネル信号生成部２１３へ出力するように指示する。つまり、制御部２０８は、応答信号及びＳＲの発生状況に基づいて、応答信号又はＳＲの送信を制御する。なお、制御部２０８におけるＳＲ及び応答信号の送信制御の詳細については後述する。
【００６８】
復調部２０９は、抽出部２０４から受け取る下り回線データを復調し、復調後の下り回線データを復号部２１０へ出力する。
【００６９】
復号部２１０は、復調部２０９から受け取る下り回線データを復号し、復号後の下り回線データをＣＲＣ部２１１へ出力する。
【００７０】
ＣＲＣ部２１１は、復号部２１０から受け取る復号後の下り回線データを生成し、ＣＲＣを用いて誤り検出し、ＣＲＣ＝ＯＫ（誤り無し）の場合にはＡＣＫを、ＣＲＣ＝ＮＧ（誤り有り）の場合にはＮＡＣＫを、応答信号生成部２１２へ出力する。また、ＣＲＣ部２１１は、ＣＲＣ＝ＯＫ（誤り無し）の場合には、復号後の下り回線データを受信データとして出力する。
【００７１】
応答信号生成部２１２は、ＣＲＣ部２１１から入力される、下り回線データの受信状況（下り回線データの誤り検出結果）に基づいて、自機が基地局１００へ送信すべき応答信号を生成する。ただし、応答信号生成部２１２は、制御部２０８からの指示がある場合（すなわち、端末２００がＳＲのみを送信する場合）にはＮＡＣＫを生成する。そして、応答信号生成部２１２は、生成した「応答信号又はＮＡＣＫ」（以下、単に「応答信号」と省略する）を上り制御チャネル信号生成部２１３−１及び２１３−２へ出力する。
【００７２】
上り制御チャネル信号生成部２１３は、応答信号生成部２１２から受け取る応答信号に基づいて上り制御チャネル信号（ＰＵＣＣＨ信号）を生成する。なお、端末２００には、端末２００のアンテナ１及びアンテナ２にそれぞれ対応する上り制御チャネル信号生成部２１３−１及び２１３−２が設けられている。また、上り制御チャネル信号生成部２１３−１は、ＰＵＣＣＨ内のＳＲリソース又はＡＣＫ／ＮＡＣＫリソースに対応し、上り制御チャネル信号生成部２１３−２は、ＰＵＣＣＨ内の共通リソースに対応する。
【００７３】
具体的には、上り制御チャネル信号生成部２１３は、変調部２２１と、拡散部２２２と、ＩＦＦＴ部２２３と、ＣＰ付加部２２４と、拡散部２２５と、ＩＦＦＴ部２２６と、ＣＰ付加部２２７と、拡散部２２８と、多重部２２９とを有する。
【００７４】
変調部２２１は、応答信号生成部２１２から入力される応答信号を変調して拡散部２２２へ出力する。
【００７５】
拡散部２２２は、制御部２０８によって設定されたＺＡＣ系列及び循環シフト量に基づいて応答信号を１次拡散し、１次拡散後の応答信号をＩＦＦＴ部２２３へ出力する。すなわち、拡散部２２２は、制御部２０８からの指示に従って、応答信号を１次拡散する。換言すれば、拡散部２２２は、制御部２０８から指示されたＺＡＣ系列のそれぞれの成分に対して、複素数で表される応答信号成分を乗算する。
【００７６】
ＩＦＦＴ部２２３は、１次拡散後の応答信号を制御部２０８から入力される周波数リソース情報に基づいて周波数軸上に配置し、ＩＦＦＴを行う。そして、ＩＦＦＴ部２２３は、ＩＦＦＴ後の応答信号をＣＰ付加部２２４へ出力する。
【００７７】
ＣＰ付加部２２４は、ＩＦＦＴ後の応答信号の後尾部分と同じ信号をＣＰとしてその応答信号の先頭に付加する。
【００７８】
拡散部２２５は、制御部２０８によって設定されたウォルシュ系列を用いてＣＰ付加後の応答信号を２次拡散し、２次拡散後の応答信号を多重部２２９へ出力する。つまり、拡散部２２５は、１次拡散後の応答信号を制御部２０８で選択されたリソースに対応するウォルシュ系列を用いて２次拡散する。すなわち、拡散部２２５は、１次拡散後の応答信号に対してウォルシュ系列の成分を乗算する。
【００７９】
ＩＦＦＴ部２２６は、参照信号を制御部２０８から入力される周波数リソース情報に基づいて周波数軸上に配置し、ＩＦＦＴを行う。そして、ＩＦＦＴ部２２６は、ＩＦＦＴ後の参照信号をＣＰ付加部２２７へ出力する。
【００８０】
ＣＰ付加部２２７は、ＩＦＦＴ後の参照信号の後尾部分と同じ信号をＣＰとしてその参照信号の先頭に付加する。
【００８１】
拡散部２２８は、制御部２０８から指示されたＤＦＴ系列でＣＰ付加後の参照信号を拡散し、拡散後の参照信号を多重部２２９へ出力する。
【００８２】
多重部２２９は、２次拡散後の応答信号と拡散後の参照信号とを１スロットに時間多重して、アンテナ１、２にそれぞれ対応する無線送信部２１４に出力する。
【００８３】
無線送信部２１４は、上り制御チャネル信号生成部２１３の多重部２２９から受け取る信号に対しＤ／Ａ変換、増幅及びアップコンバート等の送信処理を行い、アンテナから基地局１００へ送信する。なお、端末２００には、端末２００のアンテナ１及びアンテナ２にそれぞれ対応する無線送信部２１４−１及び２１４−２が設けられている。つまり、無線送信部２１４−１は、ＳＲリソース又はＡＣＫ／ＮＡＣＫリソースを用いて応答信号又はＳＲを送信し、無線送信部２１４−２は、ＳＲリソース（及びＡＣＫ／ＮＡＣＫリソース）とは異なる共通リソースを用いて応答信号又はＳＲを送信する。
【００８４】
次に、端末２００の動作について説明する。以下の説明では、図６Ａに示すように、基地局１００は、端末２００に対して、図２に示す上り単位バンド（端末２００に設定された上り単位バンド）内において、ＳＲを送信するためのリソース（図６Ａに示すＳＲリソース）に関する情報、及び、ＳＲ送信時及び応答信号送信時の両方に共通して使用されるリソース（図６Ａに示す共通リソース）に関する情報をそれぞれ１つずつ予め通知する。つまり、端末２００の制御部２０８は、基地局１００から通知されたＳＲリソースに関する情報及び共通リソースに関する情報を保持している。
【００８５】
また、端末２００では、図２に示す下り単位バンドのＰＤＣＣＨを構成する複数のＣＣＥのうち、自機が受信した下り割当制御情報が占有していたＣＣＥに対応付けられたＡＣＫ／ＮＡＣＫリソース（図６Ａ）を特定する。
【００８６】
ここで、図６Ａにおいて、ＳＲリソース、ＡＣＫ／ＮＡＣＫリソース及び共通リソースは、ＺＡＣ系列（１次拡散）又は直交符号系列の少なくとも一方が異なる、互いに異なる符号リソースである。
【００８７】
以下、図６Ａに示す上り単位バンドのＰＵＣＣＨにおいて、あるサブフレーム内でのＳＲの発生状況、及び、応答信号の発生状況（すなわち、端末２００での下り割当制御情報の検出状況）に応じた端末２００（制御部２０８）における送信制御処理の詳細な動作について図６Ｂ〜Ｄを用いて説明する。
【００８８】
＜端末２００でＳＲ及び応答信号の両方が同時に発生した場合（図６Ｂ）＞
この場合、端末２００において、制御部２０８は、上り制御チャネル信号生成部２１３−１に対してＳＲリソースに対応する情報（循環シフト量、ＺＡＣ系列、周波数リソース情報、ウォルシュ系列、ＤＦＴ系列）を出力する。また、制御部２０８は、上り制御チャネル信号生成部２１３−２に対して共通リソースに対応する情報（循環シフト量、ＺＡＣ系列、周波数リソース情報、ウォルシュ系列、ＤＦＴ系列）を出力する。
【００８９】
また、制御部２０８は、応答信号生成部２１２に対して、ＣＲＣ部２１１から入力される応答信号を上り制御チャネル信号生成部２１３−１及び２１３−２に出力するように指示する。
【００９０】
すなわち、端末２００は、あるサブフレーム内でＳＲ及び応答信号の両方が同時に発生した場合には、図６Ｂに示すように、ＳＲリソース及び共通リソースを用いて、下り回線データに対する応答信号（「Ａ／Ｎ」）を送信する。具体的には、端末２００は、同一の応答信号を、ＳＲリソースを用いてアンテナ１から送信するとともに、共通リソースを用いてアンテナ２から送信する。つまり、端末２００は、互いに異なる符号リソースであるＳＲリソース及び共通リソースにそれぞれ割り当てられた同一の応答信号を、２本のアンテナ１、２からそれぞれ送信する。
【００９１】
そして、基地局１００の判定部１１８は、図６Ｂに示す上り単位バンドのＰＵＣＣＨにおいて、ＳＲリソース及び共通リソースが用いられていることより、端末２００がＳＲを送信したと判定する。さらに、基地局１００は、ＳＲリソース及び共通リソースで受信した信号の位相に基づいて（つまり、ＢＰＳＫによる復調結果に基づいて）、端末２００が応答信号としてＡＣＫ又はＮＡＣＫのいずれを送信したかを判定する。
【００９２】
＜端末２００で応答信号のみが発生した場合（図６Ｃ）＞
この場合、端末２００において、制御部２０８は、上り制御チャネル信号生成部２１３−１に対してＡＣＫ／ＮＡＣＫリソースに対応する情報（循環シフト量、ＺＡＣ系列、周波数リソース情報、ウォルシュ系列、ＤＦＴ系列）を出力する。また、制御部２０８は、上り制御チャネル信号生成部２１３−２に対して共通リソースに対応する情報（循環シフト量、ＺＡＣ系列、周波数リソース情報、ウォルシュ系列、ＤＦＴ系列）を出力する。
【００９３】
また、制御部２０８は、応答信号生成部２１２に対して、ＣＲＣ部２１１から入力される応答信号を上り制御チャネル信号生成部２１３−１及び２１３−２に出力するように指示する。
【００９４】
すなわち、端末２００は、あるサブフレーム内で応答信号のみが発生した場合には、図６Ｃに示すように、ＡＣＫ／ＮＡＣＫリソース及び共通リソースを用いて、下り回線データに対する応答信号（「Ａ／Ｎ」）を送信する。具体的には、端末２００は、同一の応答信号を、ＡＣＫ／ＮＡＣＫリソースを用いてアンテナ１から送信するとともに、共通リソースを用いてアンテナ２から送信する。つまり、端末２００は、互いに異なる符号リソースであるＡＣＫ／ＮＡＣＫリソース及び共通リソースにそれぞれ割り当てられた同一の応答信号を、２本のアンテナ１、２からそれぞれ送信する。
【００９５】
そして、基地局１００の判定部１１８は、図６Ｃに示す上り単位バンドのＰＵＣＣＨにおいて、ＡＣＫ／ＮＡＣＫリソース及び共通リソースが用いられていることより、端末２００が応答信号を送信したと判定する。また、基地局１００は、ＡＣＫ／ＮＡＣＫリソース及び共通リソースで受信した応答信号の位相に基づいて、端末２００が応答信号としてＡＣＫ又はＮＡＣＫを送信したことを判定する。
【００９６】
＜端末２００でＳＲのみが発生した場合（図６Ｄ）＞
この場合、端末２００において、制御部２０８は、上り制御チャネル信号生成部２１３−１に対してＳＲリソースに対応する情報（循環シフト量、ＺＡＣ系列、周波数リソース情報、ウォルシュ系列、ＤＦＴ系列）を出力する。また、制御部２０８は、上り制御チャネル信号生成部２１３−２に対して共通リソースに対応する情報（循環シフト量、ＺＡＣ系列、周波数リソース情報、ウォルシュ系列、ＤＦＴ系列）を出力する。
【００９７】
また、制御部２０８は、応答信号生成部２１２に対して、「ＮＡＣＫ」を上り制御チャネル信号生成部２１３−１及び２１３−２に出力するように指示する。
【００９８】
すなわち、端末２００は、あるサブフレーム内でＳＲのみが発生した場合には、図６Ｄに示すように、ＳＲリソース及び共通リソースを用いて、「ＮＡＣＫ」と同一の位相点であるＳＲを送信する。すなわち、端末２００は、図６Ｄに示すＳＲリソース及び共有リソースを用いてＮＡＣＫを送信する。具体的には、端末２００は、同一のＳＲ（ＮＡＣＫ）を、ＳＲリソースを用いてアンテナ１から送信するとともに、共通リソースを用いてアンテナ２から送信する。つまり、端末２００は、互いに異なる符号リソースであるＳＲリソース及び共通リソースにそれぞれ割り当てられた同一のＳＲ（ＮＡＣＫ）を、２本のアンテナ１、２でそれぞれ送信する。
【００９９】
ここで、図６Ｄに示す端末２００の動作（つまり、端末２００がＳＲのみを送信する動作）は、端末２００に対して下り回線データが割り当てられておらず、端末２００でＳＲのみが発生した場合、及び、端末２００が自機に対する下り割当制御情報の受信に失敗した際にＳＲが発生した場合の２つの状況が想定される。
【０１００】
そこで、基地局１００は、図６Ｄに示す上り単位バンドのＰＵＣＣＨにおいて、ＳＲリソース及び共通リソースが用いられており、ＮＡＣＫと同一の位相点で送信されたＳＲを受け取った場合には、自局が端末２００に対して下り回線データを割り当てたか否か（下り割当制御情報を送信したか否か）に応じて、受信したＳＲが、ＳＲ＋ＮＡＣＫ（つまり、上り回線データの割当要求＋再送要求）であるか、ＳＲのみ（つまり、上り回線データの割当要求のみ）であるかを判定する。そして、基地局１００は、受信したＳＲが、ＳＲ＋ＮＡＣＫ（つまり、上り回線データの割当要求＋再送要求）であると判定した場合には、上り回線データ向けのリソース割当処理のみでなく、下り回線データの再送処理を行う。
【０１０１】
このように、端末２００側でＳＲのみを送信する際にＮＡＣＫと同一の位相点を用いることで、基地局１００が下り回線データを割り当てていなかったのか、端末２００が下り割当制御情報の受信に失敗したのかに依らず、基地局１００は、自局による割当状況に応じた最適な再送制御を行うことができる。
【０１０２】
＜端末２００でＳＲ及び応答信号のいずれも発生しない場合（図示せず）＞
この場合、端末２００は、ＰＵＣＣＨリソースにおけるＳＲ及び応答信号の送信を行わない。
【０１０３】
以上、ＳＲの発生状況及び応答信号の発生状況に応じた端末２００（制御部２０８）における送信制御処理の詳細な動作について説明した。
【０１０４】
このように、端末２００の制御部２０８は、互いに異なる符号リソースである、ＳＲリソース、ＡＣＫ／ＮＡＣＫリソース及び共通リソースのうち、あるサブフレーム内にＳＲと応答信号とが同時に発生した場合（図６Ｂ）に応答信号が割り当てられ、あるサブフレーム内にＳＲのみが発生した場合（図６Ｄ）にＳＲが割り当てられる「ＳＲリソース」、又は、あるサブフレーム内に応答信号のみが発生した場合（図６Ｃ）に応答信号が割り当てられる「ＡＣＫ／ＮＡＣＫリソース」のうちいずれかの符号リソースと、あるサブフレーム内にＳＲと応答信号とが同時に発生した場合（図６Ｂ）及びあるサブフレーム内に応答信号のみが発生した場合（図６Ｃ）に応答信号が割り当てられ、あるサブフレーム内にＳＲのみが発生した場合（図６Ｄ）にＳＲが割り当てられる「共通リソース」と、を用いてＳＲ又は応答信号を送信するように制御する。
【０１０５】
換言すると、端末２００の制御部２０８は、図６Ａに示す共通リソースを、ＳＲの発生状況及び応答信号の発生状況に応じてＳＲリソース又はＡＣＫ／ＮＡＣＫリソースとして用いる。例えば、制御部２０８は、図６Ｂ及び図６Ｄに示すようにＳＲが発生した場合には、共通リソースをＳＲリソースとして用いるのに対し、図６Ｃに示すようにＳＲが発生しない場合には共通リソースをＡＣＫ／ＮＡＣＫリソースとして用いる。また、制御部２０８は、図６Ｂ及び図６Ｃに示すように応答信号が発生した場合には共通リソースに応答信号（「Ａ／Ｎ」）を割り当て、図６Ｄに示すように応答信号が発生しない場合には共通リソースにＳＲ（ＮＡＣＫ）を割り当てる。
【０１０６】
つまり、端末２００は、あるサブフレーム内でＳＲ及び応答信号の両方を同時に送信する場合（図６Ｂ）、及び、あるサブフレーム内でＳＲのみを送信する場合（図６Ｄ）には、ＳＲリソース及び共通リソースを用いて、同一の信号（図６Ｂでは同一の応答信号、図６Ｄでは同一のＳＲ（ＮＡＣＫ））を２本のアンテナでそれぞれ送信する。一方、端末２００は、あるサブフレーム内で応答信号のみを送信する場合（図６Ｃ）には、ＡＣＫ／ＮＡＣＫリソース及び共通リソースを用いて、同一の応答信号を２本のアンテナでそれぞれ送信する。
【０１０７】
つまり、端末２００は、あるサブフレーム内において、ＳＲ及び応答信号の両方を同時に送信するのか、ＳＲ及び応答信号のいずれか１つのみを単独で送信するのかに依らず、常に共通リソースを用いる。すなわち、端末２００は、互いに異なる３つの符号リソース（図６Ａに示すＳＲリソース、ＡＣＫ／ＮＡＣＫリソース及び共通リソース）のうち、ＳＲリソース又はＡＣＫ／ＮＡＣＫリソースのうちいずれかの符号リソースと、共通リソースとを用いて、ＳＲ又は応答信号を送信する。これにより、ＳＲ及び応答信号の送信にＳＣＴＤが適用される場合でも、端末２００では、２本のアンテナにそれぞれ対応する互いに異なる２つの符号リソースのうち一方のリソース（共通リソース）を、ＳＲリソースとＡＣＫ／ＮＡＣＫリソースとで共有する。このため、上り単位バンドのＰＵＣＣＨにおいて、ＳＲ及び応答信号の送信に用いるリソース量の増加を抑えることができる。
【０１０８】
例えば、上述した図２と本実施の形態に係る図６Ａとを比較する。図２では、ＳＲ及び応答信号の送信にＳＣＴＤを適用した場合には、ＳＲリソース及びＡＣＫ／ＮＡＣＫリソースとしてそれぞれ２つのリソース、つまり、合計４リソースを用意する必要がある。これに対し、本実施の形態では、図６Ａに示すように、基地局１００が端末２００に対して共通リソースを予め通知することにより、ＳＲリソース、ＡＣＫ／ＮＡＣＫリソース及び共通リソース（ＳＲと応答信号とで共通に使用されるリソース）の合計３つのリソースのみを用意すればよい。つまり、上り単位バンドのＰＵＣＣＨにおいて、ＳＲ及び応答信号の送信に必要なリソース量の増加を抑えることができる。
【０１０９】
また、図２では、あるサブフレームにおいて、４つのリソース（２つのＳＲリソースと２つのＡＣＫ／ＮＡＣＫリソース）のうち半分の２つのリソース（２つのＳＲリソース又は２つのＡＣＫ／ＮＡＣＫリソース）は常に使用されない。これに対し、本実施の形態では、図６Ａに示すように、あるサブフレームにおいて、３つのリソース（ＳＲリソース、共通リソース及びＡＣＫ／ＮＡＣＫリソース）のうち１つのリソース（ＳＲリソース又はＡＣＫ／ＮＡＣＫリソース）のみが常に使用されない。つまり、ＰＵＣＣＨにおいて使用されずに無駄となるリソース量の増加を抑えることにより、リソース利用効率の低下を抑えることができる。
【０１１０】
このように、本実施の形態によれば、ＳＲ及び応答信号の送信にＳＣＴＤを適用した場合でも、上り制御チャネル（ＰＵＣＣＨ）のオーバーヘッドが増加することを抑えることができる。
【０１１１】
（実施の形態２）
端末によってＳＲリソース及び共通リソースの組、又は、ＡＣＫ／ＮＡＣＫリソース及び共通リソースの組のいずれが用いられているかを基地局側で判定する判定方法の１つとして、同期検波後の尤度に基づく判定方法（尤度判定）がある。具体的には、基地局は、まず、互いに異なる符号リソース（例えば、実施の形態１におけるＳＲリソース、ＡＣＫ／ＮＡＣＫリソース及び共通リソース）に割り当てられた信号をそれぞれ同期検波する。次いで、基地局は、ＳＲリソース及び共通リソースの組、及び、ＡＣＫ／ＮＡＣＫリソース及び共通リソースの組のそれぞれの信号を例えば最大比合成（ＭＲＣ：Maximum Ratio Combining、ＭＲＣ等化ともいう）等を用いて合成する。
【０１１２】
そして、基地局は、各組の合成結果が応答信号の信号点とどの程度近いかを示す尤度（likelihood）を算出する。例えば、基地局は、図７に示すように、各組の合成結果と最も近い応答信号の信号点（図７では位相点（−１，０））とのユークリッド距離を求め、ユークリッド距離の逆数を尤度として算出する。そして、基地局は、尤度がより大きい方の組（つまり、ユークリッド距離がより短い方の組）の符号リソースを、端末によって用いられた符号リソースであると判定する。図７では、ＡＣＫ／ＮＡＣＫリソース及び共通リソースの組の方が、ＳＲリソース及び共通リソースの組よりも尤度が大きい（ユークリッド距離が短い）。よって、図７では、基地局は、端末によりＡＣＫ／ＮＡＣＫリソース及び共通リソースの組が用いられていると判定する。
【０１１３】
以下、基地局における尤度判定についてより詳細に説明する。ここで、端末において、互いに異なる符号リソース（図６Ａに示すＳＲリソース、ＡＣＫ／ＮＡＣＫリソース及び共通リソース）にそれぞれ割り当てられる信号（ＳＲ又は応答信号）の信号点配置（コンスタレーション（constellation））としては、例えば、図７に示すように、ＡＣＫが位相点（−１，０）に対応付けられ、ＮＡＣＫが位相点（１，０）に対応付けられる。
【０１１４】
以下、あるサブフレーム内でＳＲ及び応答信号の両方が同時に発生した場合（図６Ｂ）を一例として説明する。また、応答信号がＡＣＫである場合について説明する。つまり、端末では、図７に示すように、ＳＲリソース及び共通リソースにはＡＣＫ（位相点（−１，０））が割り当てられる。
【０１１５】
よって、基地局では、図８Ａ及び図８Ｂに示すように、ＳＲリソース及び共通リソースでは、信号成分（図８に示す白丸）がＡＣＫの位相点（−１，０）（図８に示す黒丸）付近に現れる。なお、端末ではＡＣＫ／ＮＡＣＫリソースには何も割り当てられないものの、図８Ｂに示すように、基地局ではＡＣＫ／ＮＡＣＫリソースにノイズ成分が現れる。一般に、ノイズ成分は、ＡＣＫの位相点（−１，０）（図８に示す黒丸）と離れた位置に現れる。
【０１１６】
そして、基地局は、まず、図８Ａに示すように、ＳＲリソースに割り当てられた信号成分（図８Ａでは位相点（−１，０）付近）と、共通リソースに割り当てられた信号成分（図８Ａでは位相点（−１，０）付近）とを合成する。これにより、図８Ａに示すように、合成結果として位相点（−１，０）付近の信号が得られる。同様にして、基地局は、図８Ｂに示すように、ＡＣＫ／ＮＡＣＫリソースに存在するノイズ成分と、共通リソースに割り当てられた信号成分（図８Ｂでは位相点（−１，０）付近）とを合成する。これにより、図８Ｂに示すように、合成結果としては、位相点（−１，０）付近の信号が得られる。
【０１１７】
そして、基地局は、図８Ａに示す合成結果と最も近いＡＣＫ（位相点（−１，０））との間のユークリッド距離を用いて算出される尤度と、図８Ｂに示す合成結果と最も近いＡＣＫ（位相点（−１，０））のユークリッド距離を用いて算出される尤度とを比較する。ただし、上述したように、ノイズ成分は、ＡＣＫの位相点（−１，０）（図８に示す黒丸）と離れた位置に現れる可能性が高いので、図８Ａ及び図８Ｂに示すように、図８Ｂに示す合成結果とＡＣＫの位相点との間のユークリッド距離は、図８Ａに示す合成結果とＡＣＫの位相点とのユークリッド距離よりも長くなる可能性が高い。
【０１１８】
よって、基地局は、図８Ａに示すＳＲリソース及び共通リソースの組の方が、図８Ｂに示すＡＣＫ／ＮＡＣＫリソース及び共通リソースの組よりも尤度が大きいので（ユークリッド距離が短いので）、端末によりＳＲリソース及び共通リソースの組が用いられたと判定することができる。また、基地局は、ＳＲリソース及び共通リソースの組の合成結果が位相点（−１，０）であるので、応答信号がＡＣＫであると判定することができる。
【０１１９】
本実施の形態では、基地局において端末が用いたリソースの判定精度をさらに向上させるために、端末は、ＳＲリソース及び共通リソースが用いられる場合（ＳＲが発生する場合）の共通リソースに割り当てられる信号と、ＡＣＫ／ＮＡＣＫリソース及び共通リソースが用いられる場合（ＳＲが発生しない場合）の共通リソースに割り当てられる信号とで、位相回転量を互いに異ならせる。
【０１２０】
以下、本実施の形態について具体的に説明する。
【０１２１】
本実施の形態に係る基地局３００の構成を図９に示す。なお、図９において図４（実施の形態１）に示す基地局１００と同一の構成部には同一符号を付し、説明を省略する。
【０１２２】
図９に示す基地局３００において、共通リソースに対応する相関処理部１１７−３は、逆拡散後の信号と前記ＺＡＣ系列との相関値（データ部分及び参照信号部分）に関する情報を、判定部３１８及び位相回転部３０１に出力する。
【０１２３】
位相回転部３０１は、相関処理部１１７−３から入力される信号のデータ部分（すなわち、図１に示すＳ０〜Ｓ３）に対してのみ、予め設定された角度（例えば−９０度）だけ位相を回転する（つまり、データ部分にｅｘｐ（−ｊπ／２）を乗算する）。なお、位相回転部３０１に予め設定される角度は、後述する端末４００の位相回転部４０１（図１０）に予め設定される角度（９０度）と逆方向であり同一の大きさの角度である。なお、位相回転部３０１は、相関処理部１１７−３から入力される信号の参照信号部分（すなわち、図１に示すＲ０〜Ｒ２）の位相を回転しない。そして、位相回転部３０１は、データ部分の位相が回転された信号（データ部分にｅｘｐ（−ｊπ／２）が乗算された信号）を判定部３１８に出力する。
【０１２４】
判定部３１８は、相関処理部１１７−１〜１１７−３及び位相回転部３０１から入力される信号（相関値）に基づいて、ＳＲ及び応答信号が端末から送信されているか否かを判定する。すなわち、判定部３１８は、ＳＲリソース及び共通リソースの組、又は、ＡＣＫ／ＮＡＣＫリソース及び共通リソースの組のいずれが端末４００によって用いられているかを判定する。
【０１２５】
例えば、判定部３１８は、相関処理部１１７−１から入力される信号（ＳＲリソースに対応する相関値）と位相回転部３０１から入力される信号（共通リソースに対応する相関値（データ部分の位相回転有り））とを、例えばＭＲＣ等を用いて合成する。同様にして、判定部３１８は、相関処理部１１７−２から入力される信号（ＡＣＫ／ＮＡＣＫリソースに対応する相関値）と相関処理部１１７−３から入力される信号（共通リソースに対応する相関値（データ部分の位相回転無し））とを、例えばＭＲＣ等を用いて合成する。
【０１２６】
そして、判定部３１８は、ＳＲリソース及び共通リソースの組の合成結果、及び、ＡＣＫ／ＮＡＣＫリソース及び共通リソースの組の合成結果のそれぞれと、各合成結果から最も近い、応答信号の信号点との間のユークリッド距離を求める。また、判定部３１８は、求められた各組のユークリッド距離を用いて各組の合成結果が応答信号の信号点とどの程度近いかを示す尤度（likelihood）を算出する。例えば、判定部３１８は、各組のユークリッド距離の逆数を各組の尤度とする。すなわち、ユークリッド距離が短いほど尤度はより大きくなる。
【０１２７】
そして、判定部３１８は、各組の尤度を比較して、尤度がより大きい組を、端末４００によって用いられている組であると判定する。具体的には、ＳＲリソース及び共通リソースの組の方がＡＣＫ／ＮＡＣＫリソース及び共通リソースの組よりも尤度が大きい場合（応答信号の信号点とのユークリッド距離が短い場合）には、判定部３１８は、端末４００によりＳＲリソース及び共通リソースの組が用いられていると判定する。この場合、判定部３１８は、端末４００からＳＲが送信されていると判定するため、上り回線リソース割当制御部（図示せず）に対してＳＲを出力する。
【０１２８】
一方、ＡＣＫ／ＮＡＣＫリソース及び共通リソースの組の方がＳＲリソース及び共通リソースの組よりも尤度が大きい場合（応答信号の信号点とのユークリッド距離が短い場合）には、判定部３１８は、端末４００によりＡＣＫ／ＮＡＣＫリソース及び共通リソースの組が用いられていると判定する。この場合、判定部３１８は、端末４００からＳＲが送信されていないと判定するため、上り回線リソース割当制御部（図示せず）に対してＳＲを出力しない。
【０１２９】
次に、本実施の形態に係る端末４００の構成を図１０に示す。なお、図１０において図５（実施の形態１）に示す端末２００と同一の構成部には同一符号を付し、説明を省略する。
【０１３０】
図１０に示す端末４００において、制御部４０８は、上り回線データ生成部（図示せず）からＳＲを受け取った場合には、実施の形態１と同様にしてＳＲリソースに対応する情報（ＺＡＣ系列、循環シフト量、周波数リソース情報、ウォルシュ系列及びＤＦＴ系列）を上り制御チャネル信号生成部２１３−１に出力するとともに、位相回転部４０１に対して、信号の位相を予め設定された角度（例えば、９０度）だけ回転させる（信号にｅｘｐ（ｊπ／２）を乗算させる）指示信号を出力する。一方、制御部４０８は、上り回線データ生成部（図示せず）からＳＲを受け取らない場合には、ＡＣＫ／ＮＡＣＫリソースに対応する情報（ＺＡＣ系列、循環シフト量、周波数リソース情報、ウォルシュ系列及びＤＦＴ系列）を上り制御チャネル信号生成部２１３−１に出力するとともに、位相回転部４０１に対して信号の位相を回転させない指示信号を出力する。
【０１３１】
応答信号生成部２１２は、生成した応答信号、又は、ＮＡＣＫ（制御部４０８からの指示がある場合）を、上り制御チャネル信号生成部２１３−１の変調部２２１及び位相回転部４０１に出力する。
【０１３２】
位相回転部４０１は、制御部４０８からの指示信号に従って、応答信号生成部２１２から入力される信号の位相を回転するか否かを決定する。具体的には、位相回転部４０１は、信号の位相を回転させる指示信号が制御部４０８から入力される場合には、信号の位相を９０度回転する（信号にｅｘｐ（ｊπ／２）を乗算する）。一方、位相回転部４０１は、信号の位相を回転させない指示信号が制御部４０８から入力される場合には、信号の位相を回転させない（信号にｅｘｐ（ｊπ／２）を乗算しない）。そして、位相回転部４０１は、指示信号に応じた位相回転処理後の信号（つまり、位相回転有りの信号又は位相回転無しの信号）を、共通リソースに対応する上り制御チャネル信号生成部２１３−２の変調部２２１に出力する。
【０１３３】
次に、端末４００（図１０）の動作について説明する。以下の説明では、実施の形態１と同様、図６Ａに示すように、基地局３００（図９）は、端末４００に対して、図２に示す上り単位バンド（端末４００に設定された上り単位バンド）内において、ＳＲリソースに関する情報及び共通リソースに関する情報をそれぞれ１つずつ予め通知する。つまり、端末４００の制御部４０８は、基地局３００から通知されたＳＲリソースに関する情報及び共通リソースに関する情報を保持している。また、端末４００では、自機が受信した下り割当制御情報が占有していたＣＣＥに対応付けられたＡＣＫ／ＮＡＣＫリソース（図６Ａ）を特定する。
【０１３４】
以下、実施の形態１と同様、図６Ａに示す上り単位バンドのＰＵＣＣＨにおいて、あるサブフレームでのＳＲの発生状況及び応答信号の発生状況に応じた端末４００における送信制御処理の詳細な動作について図１１を用いて説明する。
【０１３５】
なお、以下の説明では、位相回転部３０１及び位相回転部４０１に予め設定されている角度をそれぞれ−９０度及び９０度とする。すなわち、位相回転部３０１及び位相回転部４０１に予め設定されている、信号に乗算する値をそれぞれｅｘｐ（−ｊπ／２）及びｅｘｐ（ｊπ／２）とする。また、応答信号生成部２１２で生成される応答信号の信号点配置（constellation）として、ＡＣＫが位相点（−１，０）に対応付けられ、ＮＡＣＫが位相点（１，０）に対応付けられる。
【０１３６】
＜端末４００でＳＲ及び応答信号の両方が同時に発生した場合＞
この場合、端末４００は、実施の形態１（図６Ｂ）と同様、ＳＲリソース及び共通リソースを用いて、下り回線データに対する応答信号（「Ａ／Ｎ」）を送信する。具体的には、端末４００の制御部４０８は、同一の応答信号を、ＳＲリソースを用いてアンテナ１から送信するとともに、共通リソースを用いてアンテナ２から送信するように制御する。
【０１３７】
また、制御部４０８は、応答信号生成部２１２に対して、ＣＲＣ部２１１から入力される応答信号を上り制御チャネル信号生成部２１３−１の変調部２２１及び位相回転部４０１に出力するように指示する。
【０１３８】
また、制御部４０８は、位相回転部４０１に対して、応答信号生成部２１２から入力された応答信号の位相を９０度回転するように（応答信号にｅｘｐ（ｊπ／２）を乗算するように）指示信号を出力する。
【０１３９】
そして、位相回転部４０１は、応答信号生成部２１２から入力される応答信号の位相を９０度回転する（つまり、応答信号にｅｘｐ（ｊπ／２）を乗算する）。
【０１４０】
すなわち、あるサブフレーム内でＳＲ及び応答信号の両方が同時に発生した場合（図１１に示すＳＲ＋応答信号送信時）には、図１１に示すように、ＳＲリソースでは応答信号（「Ａ／Ｎ」）の信号点配置として、ＡＣＫが位相点（−１，０）に対応付けられ、ＮＡＣＫが位相点（１，０）に対応付けられる。これに対して、図１１に示すように、共通リソースでは、応答信号（「Ａ／Ｎ」）の信号点配置として、ＡＣＫが位相点（０，−ｊ）に対応付けられ、ＮＡＣＫが位相点（０，ｊ）に対応付けられる。つまり、あるサブフレーム内でＳＲ及び応答信号の両方が同時に発生した場合には、端末４００は、ＳＲリソースに割り当てられた応答信号のコンスタレーションに対して、共通リソースに割り当てられた応答信号のコンスタレーションを９０度回転させる。これにより、ＳＲリソースに割り当てられた応答信号のコンスタレーションと、共通リソースに割り当てられた応答信号のコンスタレーションとは９０度異なる。
【０１４１】
ただし、端末４００は、位相回転部４０１において応答信号のみの位相を回転し、参照信号（図１１ではＲＳ）の位相に回転を与えない。よって、図１１に示すように、ＳＲリソース及び共通リソースでそれぞれ送信される参照信号（ＲＳ）は、同一の位相点（１，０）に対応付けられている。
【０１４２】
＜端末４００で応答信号のみが発生した場合＞
この場合、端末４００は、実施の形態１（図６Ｃ）と同様、ＡＣＫ／ＮＡＣＫリソース及び共通リソースを用いて、下り回線データに対する応答信号（「Ａ／Ｎ」）を送信する。具体的には、端末４００の制御部４０８は、同一の応答信号を、ＡＣＫ／ＮＡＣＫリソースを用いてアンテナ１から送信するとともに、共通リソースを用いてアンテナ２から送信するように制御する。
【０１４３】
また、制御部４０８は、応答信号生成部２１２に対して、ＣＲＣ部２１１から入力される応答信号を上り制御チャネル信号生成部２１３−１の変調部２２１及び位相回転部４０１に出力するように指示する。
【０１４４】
また、制御部４０８は、位相回転部４０１に対して、応答信号生成部２１２から入力された応答信号の位相を回転しないように（応答信号にｅｘｐ（ｊπ／２）を乗算しないように）指示信号を出力する。
【０１４５】
そして、位相回転部４０１は、応答信号生成部２１２から入力される応答信号の位相を回転せずにそのまま上り制御チャネル信号生成部２１３−２の変調部２２１に出力する。
【０１４６】
すなわち、あるサブフレーム内で応答信号のみが発生した場合（図１１に示す応答信号のみ送信時）には、図１１に示すように、ＡＣＫ／ＮＡＣＫリソースでは応答信号（「Ａ／Ｎ」）の信号点配置として、ＡＣＫが位相点（−１，０）に対応付けられ、ＮＡＣＫが位相点（１，０）に対応付けられる。また、図１１に示すように、共通リソースでは応答信号（「Ａ／Ｎ」）の信号点配置として、ＡＣＫが位相点（−１，０）に対応付けられ、ＮＡＣＫが位相点（１，０）に対応付けられる。つまり、あるサブフレーム内で応答信号のみが発生した場合には、ＡＣＫ／ＮＡＣＫリソースに割り当てられた応答信号のコンスタレーションと、共通リソースに割り当てられた応答信号のコンスタレーションとは同一になる。
【０１４７】
＜端末４００でＳＲのみが発生した場合＞
この場合、端末４００は、実施の形態１（図６Ｄ）と同様、ＳＲリソース及び共通リソースを用いて、「ＮＡＣＫ」と同一の位相点を用いてＳＲを送信する。具体的には、端末４００の制御部４０８は、同一のＳＲ（ＮＡＣＫ）を、ＳＲリソースを用いてアンテナ１から送信するとともに、共通リソースを用いてアンテナ２から送信するように制御する。
【０１４８】
つまり、制御部４０８は、応答信号生成部２１２に対して、「ＮＡＣＫ」を上り制御チャネル信号生成部２１３−１の変調部２２１及び位相回転部４０１に出力するように指示する。
【０１４９】
また、制御部４０８は、位相回転部４０１に対して、応答信号生成部２１２から入力された信号（ＮＡＣＫ）の位相を９０度回転するように（信号（ＮＡＣＫ）にｅｘｐ（ｊπ／２）を乗算するように）指示信号を出力する。
【０１５０】
そして、位相回転部４０１は、応答信号生成部２１２から入力される信号（ＮＡＣＫ）の位相を９０度回転する（つまり、信号（ＮＡＣＫ）にｅｘｐ（ｊπ／２）を乗算する）。
【０１５１】
すなわち、あるサブフレーム内でＳＲのみが発生した場合（図１１に示すＳＲのみ送信時）には、図１１に示すように、ＳＲリソースでは信号（ＮＡＣＫ）は位相点（１，０）に対応付けられる。これに対して、図１１に示すように、共通リソースでは信号（ＮＡＣＫ）は位相点（０，ｊ）に対応付けられる。つまり、あるサブフレーム内でＳＲのみが発生した場合には、端末４００は、ＳＲリソースに割り当てられたＳＲ（ＮＡＣＫ）のコンスタレーションに対して、共通リソースに割り当てられたＳＲ（ＮＡＣＫ）のコンスタレーションを９０度回転させる。これにより、ＳＲリソースに割り当てられたＳＲ（ＮＡＣＫ）のコンスタレーションと、共通リソースに割り当てられたＳＲ（ＮＡＣＫ）のコンスタレーションとは９０度だけ異なる。
【０１５２】
ただし、端末４００は、図１１に示すＳＲ＋応答信号送信時と同様にして、位相回転部４０１において信号（ＮＡＣＫ）のみの位相を回転し、参照信号（図１１ではＲＳ）の位相に回転を与えない。よって、図１１に示すように、ＳＲリソース及び共通リソースでそれぞれ送信される参照信号（ＲＳ）は、同一の位相点（１，０）に対応付けられている。
【０１５３】
＜端末４００でＳＲ及び応答信号のいずれも発生しない場合（図示せず）＞
この場合、端末４００は、ＰＵＣＣＨリソースにおけるＳＲ及び応答信号の送信を行わない。
【０１５４】
以上、ＳＲの発生状況及び応答信号の発生状況に応じた端末４００における送信制御処理の詳細な動作について説明した。
【０１５５】
次に、本実施の形態に係る基地局３００の動作について説明する。以下、あるサブフレーム内でＳＲ及び応答信号の両方が同時に発生した場合（図１１に示すＳＲ＋応答信号送信時）を一例として説明する。また、応答信号がＡＣＫである場合について説明する。つまり、端末４００では、図１１に示すように、ＳＲリソースにはＡＣＫ（位相点（−１，０））が割り当てられ、共通リソースにはＡＣＫ（位相点（０，−ｊ））が割り当てられる。なお、図１２Ａ及び図１２Ｂでは、各リソースに割り当てられた信号のデータ部分及び参照信号部分のうち、データ部分の成分のみを示す。
【０１５６】
基地局３００では、図１２Ａに示すように、ＳＲリソースに割り当てられた信号成分（図１２Ａに示すＳＲリソース内の白丸）がＡＣＫの位相点（−１，０）（図１２Ａに示すＳＲリソース内の黒丸）付近に現れ、共通リソースに割り当てられた信号成分（図１２Ａに示す共通リソース内の白丸）がＡＣＫの位相点（０，−ｊ）（図１２Ａに示す共通リソース内の黒丸）付近に現れる。なお、端末４００では、ＡＣＫ／ＮＡＣＫリソースには何も割り当てられないものの、図１２Ｂに示すように、基地局３００ではＡＣＫ／ＮＡＣＫリソースにノイズ成分が現れる。一般に、ノイズ成分は、ＡＣＫの位相点（−１，０）（図１２Ｂに示すＡＣＫ／ＮＡＣＫリソース内の黒丸）と離れた位置に現れる。
【０１５７】
基地局３００の位相回転部３０１は、ＳＲリソース及び共通リソースの組に対する尤度を求める際には、図１２Ａに示すように、共通リソースで得られる信号成分（図１２Ａの共通リソースにおけるＡＣＫの位相点（０、−ｊ）付近）の位相を−９０度回転する（相関値のデータ部分にｅｘｐ（−ｊπ／２）を乗算する）。これにより、図１２Ａの共通リソースに示すように、位相回転後には信号成分は位相点（−１，０）付近となる。
【０１５８】
次いで、判定部３１８は、まず、図１２Ａに示すように、ＳＲリソースに割り当てられた信号成分（図１２Ａでは位相点（−１，０）付近）と、位相回転部３０１から入力される信号成分（つまり、共通リソースに割り当てられた信号成分が−９０度回転した信号成分（信号成分にｅｘｐ（−ｊπ／２）を乗算した結果））とを合成する。これにより、図１２Ａに示すように、合成結果として位相点（−１，０）付近の信号が得られる。
【０１５９】
同様に、判定部３１８は、ＡＣＫ／ＮＡＣＫリソース及び共通リソースの組に対する尤度を求める際には、図１２Ｂに示すように、ＡＣＫ／ＮＡＣＫリソースに存在する成分（図１２Ｂではノイズ成分）と、共通リソースに割り当てられた信号成分（図１２Ｂでは位相点（０，−ｊ）付近）とを合成する。これにより、図１２Ｂに示すように、合成結果としては、位相点（０，−ｊ）付近の信号が得られる。
【０１６０】
次いで、判定部３１８は、図１２Ａに示す合成後の信号成分（合成結果）とＡＣＫ（位相点（−１，０））との間のユークリッド距離を用いて算出される尤度と、図１２Ｂに示す信号成分（合成結果）とＡＣＫ（位相点（−１，０））のユークリッド距離を用いて算出される尤度とを比較する。よって、判定部３１８は、図１２Ａに示すＳＲリソース及び共通リソースの組の方が、図１２Ｂに示すＡＣＫ／ＮＡＣＫリソース及び共通リソースの組よりも尤度が大きいので（ユークリッド距離が短いので）、端末４００によりＳＲリソース及び共通リソースの組が用いられたと判定する。また、判定部３１８は、ＳＲリソース及び共通リソースの組の合成結果が位相点（−１，０）付近であるので、応答信号がＡＣＫであると判定する。
【０１６１】
このようにして、端末４００は、あるサブフレーム内にＳＲと応答信号とが同時に発生した場合及びあるサブフレーム内にＳＲのみが発生した場合に、ＳＲリソースに割り当てられる信号のコンスタレーションに対して、共通リソースに割り当てられる信号のコンスタレーションを９０度回転させる（信号にｅｘｐ（ｊπ／２）を乗算する）。つまり、端末４００は、図１１に示すように、あるサブフレーム内にＳＲと応答信号とが同時に発生した場合及びあるサブフレーム内にＳＲのみが発生した場合におけるＳＲリソースに割り当てられる信号のコンスタレーションと共通リソースに割り当てられる信号のコンスタレーションとを異ならせる。
【０１６２】
一方、端末４００は、図１１に示すように、あるサブフレーム内に応答信号のみが発生した場合におけるＡＣＫ／ＮＡＣＫリソースに割り当てられる信号のコンスタレーションと共通リソースに割り当てられる信号のコンスタレーションとを同一にする。
【０１６３】
つまり、端末４００では、同一サブフレーム内で応答信号が発生したか否かに関わらず、ＳＲが発生した場合と、ＳＲが発生しない場合とで、共通リソースに割り当てられる信号（ＳＲ又は応答信号）の位相回転量を変化させる。
【０１６４】
換言すると、端末４００は、あるサブフレーム内にＳＲと応答信号とが同時に発生した場合及びあるサブフレーム内にＳＲのみが発生した場合におけるＳＲリソースに割り当てられる信号が取り得る位相点（図１１ではＡＣＫ（−１，０）及びＮＡＣＫ（１，０））と共通リソースに割り当てられる信号が取り得る位相点（図１１ではＡＣＫ（０，−ｊ）及びＮＡＣＫ（０，ｊ））との間の位相差（図１１では９０度）と、あるサブフレーム内に応答信号のみが発生した場合におけるＡＣＫ／ＮＡＣＫリソースに割り当てられる信号が取り得る位相点（図１１ではＡＣＫ（−１，０）及びＮＡＣＫ（１，０））と共通リソースに割り当てられる信号が取り得る位相点（図１１ではＡＣＫ（−１，０）及びＮＡＣＫ（１，０））との間の位相差（図１１では０度）と、を互いに異ならせる。
【０１６５】
具体的には、図１１に示すように、端末４００は、あるサブフレーム内にＳＲと応答信号とが同時に発生した場合及びあるサブフレーム内にＳＲのみが発生した場合に、ＳＲリソース及び共通リソースで同一内容の信号（例えば、誤り無しを示すＡＣＫ）がそれぞれ配置される位相点（ＳＲリソースでは位相点（−１，０）、共通リソースでは位相点（０，−ｊ））間の位相差（９０度（π／２ラジアン））と、あるサブフレーム内に応答信号のみが発生した場合に、ＡＣＫ／ＮＡＣＫリソース及び共通リソースで同一内容の信号（例えば、ＡＣＫ）がそれぞれ配置される位相点（ＡＣＫ／ＮＡＣＫリソースでは位相点（−１，０）、共通リソースでは位相点（−１，０））間の位相差（０度）と、を互いに異ならせる。なお、誤り有りを示すＮＡＣＫについても同様である。
【０１６６】
また、ここでは、端末４００は、あるサブフレーム内にＳＲと応答信号とが同時に発生した場合及びあるサブフレーム内にＳＲのみが発生した場合に、ＳＲリソース及び共通リソースで同一内容の信号（ＡＣＫ又はＮＡＣＫ）がそれぞれ配置される位相点間の位相差と、あるサブフレーム内に応答信号のみが発生した場合に、ＡＣＫ／ＮＡＣＫリソース及び共通リソースで同一内容の信号（ＡＣＫ又はＮＡＣＫ）がそれぞれ配置される位相点間の位相差、との間の差が最大（ここでは９０度（つまり、π／２ラジアン））となるようにする。
【０１６７】
そして、基地局３００では、ＳＲリソース及び共通リソースの組に対する尤度を求める際には共通リソースのデータ部分に対して、端末４００とは逆回転の位相回転を与えるのに対し、ＡＣＫ／ＮＡＣＫリソース及び共通リソースの組に対する尤度を求める際には共通リソースのデータ部分に対して位相回転を与えない。つまり、基地局３００は、端末４００によってＳＲリソース及び共通リソースの組が用いられた場合（つまり、端末４００で共通リソースに対して位相回転が行われる場合）には、正しいリソースの組（つまり、ＳＲリソース及び共通リソースの組）における共通リソースに対して端末４００とは逆の位相回転が行われるのに対して、誤ったリソースの組（つまり、ＡＣＫ／ＮＡＣＫリソース及び共通リソースの組）における共通リソースに対して位相回転を行わない。同様にして、基地局３００は、端末４００によってＡＣＫ／ＮＡＣＫリソース及び共通リソースの組が用いられた場合（つまり、端末４００で共通リソースに対して位相回転が行われない場合）には、正しいリソースの組（つまり、ＡＣＫ／ＮＡＣＫリソース及び共通リソースの組）における共通リソースに対して位相回転が行われないのに対して、誤ったリソースの組（つまり、ＳＲリソース及び共通リソースの組）における共通リソースに対して位相回転を行う。
【０１６８】
よって、基地局３００では、ＳＲリソース及び共通リソースの組、及び、ＡＣＫ／ＮＡＣＫリソース及び共通リソースの組のうち、誤ったリソースの組におけるＭＲＣ後の合成結果と、応答信号の信号点との間には位相回転量に相当する分の位相差が生じる。例えば、図１２Ａでは、ＳＲリソース及び共通リソースの組（ここでは正しいリソースの組）におけるＭＲＣ後の合成結果（合成後の位相点（−１，０）付近）は応答信号の信号点（−１，０）付近に位置する。これに対して、図１２Ｂでは、ＡＣＫ／ＮＡＣＫリソース及び共通リソースの組（ここでは誤ったリソースの組）におけるＭＲＣ後の合成結果（合成後の位相点（０，−ｊ）付近）は、応答信号の信号点（−１，０）との位相差がほぼ９０度（π／２ラジアン）（端末４００で与えられる位相回転量）だけ離れた位置となる。
【０１６９】
つまり、基地局３００では、ＳＲリソース及び共通リソースの組及びＡＣＫ／ＮＡＣＫリソース及び共通リソースの組うち、誤ったリソースの組（つまり、端末４００によって用いられていないリソースの組）の合成結果は、応答信号の信号点から大きく離れる可能性が高くなる。
【０１７０】
これにより、基地局３００は、誤ったリソースの組（例えば、図１２Ａ及び図１２Ｂでは、図１２Ｂに示すＡＣＫ／ＮＡＣＫリソース及び共通リソースの組）に基づいて算出される尤度は、正しいリソースの組（例えば、図１２Ａ及び図１２Ｂでは、図１２Ａに示すＳＲリソース及び共通リソースの組）に基づいて算出される尤度よりも大きく劣化する可能性が高い。例えば、図８Ｂ（共通リソースで位相回転を行わない場合）と図１２Ｂ（共通リソースで位相回転を行う場合）とを比較すると、誤ったリソースの組（ここではＡＣＫ／ＮＡＣＫリソース及び共通リソースの組）での合成結果と応答信号の信号点との間のユークリッド距離は、図８Ｂよりも図１２Ｂの方がより長くなる。つまり、図１２Ｂにおける誤ったリソースの組の尤度は図８Ｂにおける誤ったリソースの組の尤度よりも大きく劣化する。すなわち、図１２Ａにおける正しいリソースの組の尤度と図１２Ｂにおける誤ったリソースの組の尤度との差は、図８Ａにおける正しいリソースの組の尤度と図８Ｂにおける誤ったリソースの組の尤度との差よりも大きくなる。
【０１７１】
このように、基地局３００では、正しいリソースの組と誤ったリソースの組との間で尤度の差を大きく異ならせることができる。このため、ＳＲリソース及び共通リソースの組及びＡＣＫ／ＮＡＣＫリソース及び共通リソースの組のいずれが端末４００で用いられたかを判定する判定精度を向上させることができる。
【０１７２】
このようにして、本実施の形態によれば、実施の形態１と同様、ＳＲ及び応答信号の送信にＳＣＴＤを適用した場合でも、上り制御チャネル（ＰＵＣＣＨ）のオーバーヘッドが増加することを抑えることができ、さらに、基地局において端末が用いたリソースの判定精度を向上させることが可能となる。
【０１７３】
なお、本実施の形態では、ＳＲリソースのコンスタレーションに対して、共通リソースのコンスタレーションを９０度回転させる（共通リソースの信号にｅｘｐ（ｊπ／２）を乗算する）場合について説明した。しかし、本発明では、同一のコンスタレーションに含まれる複数の信号点のうち、ＳＲリソースで用いる信号点と、共通リソースで用いる信号点とを異ならせてもよい。例えば、ＱＰＳＫのコンスタレーションに含まれる４個の信号点のうち２つの信号点をＳＲリソースで用いるのに対し、ＳＲリソースで用いられる２つの信号点以外の２つの信号点を共通リソースで用いてもよい。この場合でも、本実施の形態と同様、ＳＲリソース及び共通リソースが用いられる場合のＳＲリソースに割り当てられる信号が取り得る位相点と共通リソースに割り当てられる信号が取り得る位相点との間の位相差と、ＡＣＫ／ＮＡＣＫリソース及び共通リソースが用いられる場合のＡＣＫ／ＮＡＣＫリソースに割り当てられる信号が取り得る位相点と共通リソースに割り当てられる信号が取り得る位相点との間の位相差と、を互いに異ならせることができる。つまり、同一のコンスタレーションにおいて、ＳＲリソースと共通リソースとの間で用いる信号点を互いに異ならせる場合（つまり、位相回転を行わない場合）でも、本実施の形態と同様、基地局において端末が用いたリソースの判定精度を向上させることが可能となる。
【０１７４】
また、本実施の形態における、端末側でＳＲが発生した場合にＳＲリソースのコンスタレーションに対して、共通リソースのコンスタレーションを９０度回転（位相回転）させる動作、すなわち、共通リソースの信号にｅｘｐ（ｊπ／２）を乗算する動作については、ｅｘｐ（ｊπ／２）をスクランブル符号と見なし、スクランブルと称されることもある。これに伴い、位相回転部４０１はスクランブル部と称されることもある。
【０１７５】
また、本実施の形態では、端末側の処理の順番として、位相回転（すなわち、スクランブル符号であるｅｘｐ（ｊπ／２）による乗算）を行った後に、１次拡散、２次拡散を行う場合について説明した。しかし、スクランブル処理、１次拡散及び２次拡散の処理の順番はこれに限定されない。すなわち、スクランブル処理、１次拡散及び２次拡散は全て乗算で表される処理であるため、例えば、応答信号に対し１次拡散を行った後、又は、２次拡散を行った後にスクランブル符号を乗算しても、本実施の形態と同一の結果が得られる。
【０１７６】
また、本実施の形態では、端末側でＳＲが発生した場合にＳＲリソースのコンスタレーションに対して、共通リソースのコンスタレーションを９０度回転させる場合について説明した。しかし、端末側で、ＳＲリソースのコンスタレーションに対して、共通リソースのコンスタレーションを任意の角度θ（ラジアン）だけ回転させる（共通リソースの信号にｅｘｐ（ｊθ）を乗算する）場合にも、本実施の形態と同様の効果が得られる。例えば、代表的な回転角度としては、９０度の他に−９０度（すなわち、共通リソースの信号にｅｘｐ（−ｊπ／２）を乗算する場合）が挙げられる。
【０１７７】
（実施の形態３）
本実施の形態では、基地局から端末に対して下り割当制御情報を伴わずに送信される下り回線データ（以下、「ＳＰＳ（Semi-Persistent Scheduling）データ」と呼ぶ）も扱う点において実施の形態２と相違する。
【０１７８】
以下、本実施の形態について具体的に説明する。
【０１７９】
本実施の形態に係る基地局５００の構成を図１３に示す。なお、図１３において図９（実施の形態２）に示す基地局３００と同一の構成部には同一符号を付し、説明を省略する。
【０１８０】
図１３に示す基地局５００は、通信対象の端末（図１４に示す端末６００（後述する））に対して、ＳＲリソースに関する情報、及び、ＳＰＳ（Semi-Persistent Scheduling）によって割り当てられる下りデータ（割当リソースが予め通知されており、下り割当制御情報が必ずしも同一サブフレームに配置されるとは限らない下りデータ。以下、「ＳＰＳデータ」と呼ぶ。）に対する応答信号向けのリソース（以下、「ＳＰＳ−ＡＣＫ／ＮＡＣＫリソース」と呼ぶ）に関する情報を予め通知する。
【０１８１】
また、基地局５００は、通信対象の端末６００（図１４）が上り制御情報（すなわち、ＳＲ及び応答信号）に対してＳＣＴＤ（ＳＯＲＴＤ）を適用すべきかどうかを端末６００毎に予め設定（Configure）している。また、基地局５００は、ＳＣＴＤを適用するように設定した端末６００に対しては、設定と同時にＳＲ送信時及び応答信号送信時に共通に用いられるリソース（共通リソース）に関する情報を通知している。
【０１８２】
基地局５００の制御部５０１は、端末６００に対して下り回線データの送信時に制御情報を合わせて送信するか否かを判断する。すなわち、制御部５０１は、端末６００に対して送信する下り回線データが「ＳＰＳデータ」である場合には、端末６００側に予め通知してある下りリソースに当該データを割当てるため、下り割当制御情報は合わせて送信する必要は無いと判断する。一方、制御部５０１は、端末６００に対して送信する下り回線データがＳＰＳデータ以外であり、端末６００にリソース割当情報を通知する必要がある場合には、下り割当制御情報を合わせて送信すると判断する。更に、制御部５０１は、端末６００に対して、下り回線データの送信時に下り割当制御情報を合わせて送信する場合には、実施の形態１と同様に、下り割当制御情報を送信するための下りリソース（つまり、下り制御情報割当リソース）、及び、当該制御情報に含まれる、下り回線データを送信するための下りリソース（つまり、下りデータ割当リソース）を決定する。
【０１８３】
また、制御部５０１は、端末６００に対して下り回線データの送信時に下り割当制御情報を合わせて送信する際には、実施の形態１と同様に、端末６００に対して制御情報を送信する際に用いる符号化率を決定する。
【０１８４】
そして、制御部５０１は、端末６００に対して下り回線データの送信時に下り割当制御情報を合わせて送信する際には、実施の形態１と同様に、制御情報生成部１０２に対して、下りデータ割当リソースに関する情報を出力し、符号化部１０３に対して、制御情報を送信する際に用いる符号化率に関する情報を出力する。
【０１８５】
また、制御部５０１は、送信データ（つまり、下り回線データ）の符号化率を符号化部１０５に出力する。この際、制御部５０１は、ＳＰＳデータに対しては端末６００に予め通知してある符号化率を符号化部１０５に出力し、ＳＰＳデータ以外の下り回線データに対しては送信時に最適な符号化率を決定し符号化部１０５に出力する。
【０１８６】
また、制御部５０１は、下りデータ割当リソース及び下り制御情報割当リソースに関する情報をマッピング部１０８に対して出力する。この際、制御部５０１は、ＳＰＳデータに対しては端末６００に予め通知してある下りデータ割当リソースに関する情報をマッピング部１０８に出力する。一方、制御部５０１は、ＳＰＳデータ以外の下り回線データに対しては下り制御情報割当リソース及び下り割当制御情報が示す下りデータ割当リソースに関する情報をマッピング部１０８に出力する。
【０１８７】
系列制御部５１６は、端末６００から送信されるＳＲリソース、ＡＣＫ／ＮＡＣＫリソース（つまり、ＳＰＳデータ以外の下り回線データに対する応答信号向けのリソース）、ＳＰＳ−ＡＣＫ／ＮＡＣＫリソース又は共通リソースのデータ部分及び参照信号部分にそれぞれ対応するＺＡＣ系列を生成する。また、系列制御部５１６は、実施の形態１と同様に、これらのリソースに対応付けて、信号を抽出すべき相関窓を特定する。そして、系列制御部５１６は、特定した相関窓を示す情報及び生成したＺＡＣ系列を相関処理部１１７に出力する。
【０１８８】
次に、本実施の形態に係る端末６００の構成を図１４に示す。なお、図１４において図１０（実施の形態２）に示す端末４００と同一の構成部には同一符号を付し、説明を省略する。
【０１８９】
図１４に示す端末６００において、抽出部６０４は、ＳＰＳデータ以外のデータを受信する際には、実施の形態１と同様に、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部６０４は、その符号化率に対応する個数のＣＣＥを抽出単位として、下り制御チャネル信号を抽出する。抽出された下り制御チャネル信号は、復調部２０５へ出力される。
【０１９０】
また、抽出部６０４は、ＳＰＳデータ以外のデータを受信する際には、実施の形態１と同様に、判定部２０７から受け取る自機宛の下りデータ割当リソースに関する情報に基づいて、受信信号から下り回線データ（下りデータチャネル信号（ＰＤＳＣＨ信号））を抽出し、復調部２０９へ出力する。
【０１９１】
一方、抽出部６０４は、ＳＰＳデータを受信する際には、入力されるＳＰＳデータリソース割当情報に基づいて、受信信号からＳＰＳデータ（ＳＰＳデータに対応するＰＤＳＣＨ信号）を抽出し、復調部２０９へ出力する。
【０１９２】
制御部６０８は、上り回線データ生成部（図示せず）からＳＲを受け取った場合には、実施の形態２と同様にして、ＳＲリソースに対応する情報（ＺＡＣ系列、循環シフト量、周波数リソース情報、ウォルシュ系列及びＤＦＴ系列）を上り制御チャネル信号生成部２１３−１に出力するとともに、位相回転部４０１に対して、信号の位相を予め設定された角度（例えば、９０度）だけ回転させる（信号にｅｘｐ（ｊπ／２）を乗算させる）指示信号を出力する。一方、制御部６０８は、上り回線データ生成部（図示せず）からＳＲを受け取らず、送信すべき応答信号がＳＰＳデータ以外のデータに対する応答信号である場合は、ＡＣＫ／ＮＡＣＫリソースに対応する情報（ＺＡＣ系列、循環シフト量、周波数リソース情報、ウォルシュ系列及びＤＦＴ系列）を上り制御チャネル信号生成部２１３−１に出力するとともに、位相回転部４０１に対して信号の位相を回転させない指示信号を出力する。更に、制御部６０８は、上り回線データ生成部からＳＲを受け取らず、送信すべき応答信号がＳＰＳデータに対する応答信号である場合は、ＳＰＳ−ＡＣＫ／ＮＡＣＫリソースに対応する情報（ＺＡＣ系列、循環シフト量、周波数リソース情報、ウォルシュ系列及びＤＦＴ系列）を上り制御チャネル信号生成部２１３−１に出力するとともに、位相回転部４０１に対して信号の位相を回転させない指示信号を出力する。
【０１９３】
なお、端末６００は、基地局５００からＳＰＳデータを送信されると予め通知されているサブフレームではＳＰＳデータを受信し、それ以外のサブフレームでは下り割当制御情報をブラインド判定し、自機向けの下り割当制御信号を検出した場合にはＳＰＳデータ以外の下り回線データを受信する。
【０１９４】
次に、端末６００（図１４）の動作について説明する。端末６００は、ＳＰＳデータ以外の下り回線データを受信した場合には、後述する「動作１」に基づいて上り信号送信制御を行う一方、ＳＰＳデータを受信した場合には、後述する「動作２」に基づいて上り信号送信制御を行う。
【０１９５】
＜端末６００がＳＰＳデータ以外の下り回線データを受信する場合：動作１＞
端末６００がＳＰＳデータ以外の下り回線データを受信する場合の、ＳＲの発生状況、及び応答信号の発生状況に応じた端末６００における送信制御処理の詳細な動作については実施の形態２と同一である。
【０１９６】
＜端末６００がＳＰＳデータを受信する場合：動作２＞
以下の説明では、図１５Ａに示すように、基地局５００は、端末６００に対して、図２に示す上り単位バンド（端末６００に設定された上り単位バンド）内において、ＳＲリソースに関する情報、ＳＰＳ−ＡＣＫ／ＮＡＣＫリソースに関する情報、及び共通リソースに関する情報をそれぞれ１つずつ予め通知する。つまり、端末６００の制御部６０８は、基地局５００から通知されたＳＲリソースに関する情報、ＳＰＳ−ＡＣＫ／ＮＡＣＫリソースに関する情報、及び共通リソースに関する情報を保持している。
【０１９７】
ここで、図１５Ａにおいて、ＳＲリソース、ＡＣＫ／ＮＡＣＫリソース（図示せず）、ＳＰＳ−ＡＣＫ／ＮＡＣＫリソース及び共通リソースは、ＺＡＣ系列（１次拡散）又は直交符号系列の少なくとも一方が異なる、互いに異なる符号リソースである。
【０１９８】
以下、実施の形態２と同様、図１５Ａに示す上り単位バンドのＰＵＣＣＨにおいて、端末６００がＳＰＳデータを受信する場合（動作２）に、あるサブフレームでのＳＲの発生状況及び応答信号の発生状況に応じた端末６００における送信制御処理の詳細な動作について図１６を用いて説明する。
【０１９９】
なお、以下の説明では、実施の形態２と同様、位相回転部３０１及び位相回転部４０１に予め設定されている角度をそれぞれ−９０度及び９０度とする。すなわち、位相回転部３０１及び位相回転部４０１に予め設定されている、信号に乗算する値をそれぞれｅｘｐ（−ｊπ／２）及びｅｘｐ（ｊπ／２）とする。また、応答信号生成部２１２で生成される応答信号の信号点配置（constellation）として、ＡＣＫが位相点（−１，０）に対応付けられ、ＮＡＣＫが位相点（１，０）に対応付けられる。
【０２００】
＜端末６００でＳＲ及びＳＰＳデータに対する応答信号の両方が同時に発生した場合＞
この場合、端末６００は、図１５Ｂに示すように、ＳＲリソース及び共通リソースを用いて、ＳＰＳデータに対する応答信号（図１５及び図１６では「Ａ／Ｎ」と表記）を送信する。具体的には、端末６００の制御部６０８は、同一の応答信号を、ＳＲリソースを用いてアンテナ１から送信するとともに、共通リソースを用いてアンテナ２から送信するように制御する。
【０２０１】
また、制御部６０８は、応答信号生成部２１２に対して、ＣＲＣ部２１１から入力される応答信号（ＳＰＳデータに対する応答信号）を上り制御チャネル信号生成部２１３−１の変調部２２１及び位相回転部４０１に出力するように指示する。
【０２０２】
また、制御部６０８は、位相回転部４０１に対して、応答信号生成部２１２から入力された応答信号の位相を９０度回転するように（応答信号にｅｘｐ（ｊπ／２）を乗算するように）指示信号を出力する。
【０２０３】
そして、位相回転部４０１は、応答信号生成部２１２から入力される応答信号の位相を９０度回転する（つまり、応答信号にｅｘｐ（ｊπ／２）を乗算する）。
【０２０４】
すなわち、あるサブフレーム内でＳＲ、及び、ＳＰＳデータに対する応答信号の両方が同時に発生した場合（図１６に示すＳＲ＋応答信号送信時）には、ＳＲリソースでは応答信号（「Ａ／Ｎ」）の信号点配置として、ＡＣＫが位相点（−１，０）に対応付けられ、ＮＡＣＫが位相点（１，０）に対応付けられる。これに対して、図１６に示すように、共通リソースでは、応答信号（「Ａ／Ｎ」）の信号点配置として、ＡＣＫが位相点（０，−ｊ）に対応付けられ、ＮＡＣＫが位相点（０，ｊ）に対応付けられる。つまり、あるサブフレーム内でＳＲ、及び、ＳＰＳデータに対する応答信号の両方が同時に発生した場合には、実施の形態２と同様、ＳＲリソースに割り当てられた応答信号のコンスタレーションと、共通リソースに割り当てられた応答信号のコンスタレーションとは９０度異なる。
【０２０５】
＜端末６００でＳＰＳデータに対する応答信号のみが発生した場合＞
この場合、端末６００は、図１５Ｃに示すように、ＡＣＫ／ＮＡＣＫリソース及び共通リソースを用いて、下り回線データに対する応答信号（「Ａ／Ｎ」）を送信する。具体的には、端末６００の制御部６０８は、同一の応答信号を、ＡＣＫ／ＮＡＣＫリソースを用いてアンテナ１から送信するとともに、共通リソースを用いてアンテナ２から送信するように制御する。
【０２０６】
また、制御部６０８は、応答信号生成部２１２に対して、ＣＲＣ部２１１から入力される応答信号（ＳＰＳデータに対する応答信号）を上り制御チャネル信号生成部２１３−１の変調部２２１及び位相回転部４０１に出力するように指示する。
【０２０７】
また、制御部６０８は、位相回転部４０１に対して、応答信号生成部２１２から入力された応答信号の位相を回転しないように（応答信号にｅｘｐ（ｊπ／２）を乗算しないように）指示信号を出力する。
【０２０８】
すなわち、あるサブフレーム内で応答信号のみが発生した場合（図１６に示す応答信号のみ送信時）には、ＳＰＳ−ＡＣＫ／ＮＡＣＫリソース及び共通リソースでは応答信号（「Ａ／Ｎ」）の信号点配置として、ＡＣＫが位相点（−１，０）に対応付けられ、ＮＡＣＫが位相点（１，０）に対応付けられる。つまり、あるサブフレーム内でＳＰＳデータに対する応答信号のみが発生した場合には、実施の形態２と同様、ＡＣＫ／ＮＡＣＫリソースに割り当てられた応答信号のコンスタレーションと、共通リソースに割り当てられた応答信号のコンスタレーションとは同一になる。
【０２０９】
＜端末６００でＳＲのみが発生した場合＞
この場合、端末６００は、図１５Ｄに示すように、ＳＲリソース及び共通リソースを用いて、「ＮＡＣＫ」と同一の位相点を用いてＳＲを送信する。具体的には、端末６００の制御部６０８は、同一のＳＲ（ＮＡＣＫ）を、ＳＲリソースを用いてアンテナ１から送信するとともに、共通リソースを用いてアンテナ２から送信するように制御する。
【０２１０】
つまり、制御部６０８は、応答信号生成部２１２に対して、「ＮＡＣＫ」を上り制御チャネル信号生成部２１３−１の変調部２２１及び位相回転部４０１に出力するように指示する。
【０２１１】
また、制御部６０８は、位相回転部４０１に対して、応答信号生成部２１２から入力された信号（ＮＡＣＫ）の位相を９０度回転するように（信号（ＮＡＣＫ）にｅｘｐ（ｊπ／２）を乗算するように）指示信号を出力する。
【０２１２】
すなわち、あるサブフレーム内でＳＲのみが発生した場合（図１６に示すＳＲのみ送信時）には、ＳＲリソースでは信号（ＮＡＣＫ）は位相点（１，０）に対応付けられる。これに対して、図１６に示すように、共通リソースでは信号（ＮＡＣＫ）は位相点（０，ｊ）に対応付けられる。つまり、あるサブフレーム内でＳＲのみが発生した場合には、実施の形態２と同様、ＳＲリソースに割り当てられたＳＲ（ＮＡＣＫ）のコンスタレーションと、共通リソースに割り当てられたＳＲ（ＮＡＣＫ）のコンスタレーションとは９０度だけ異なる。
【０２１３】
＜端末６００でＳＲ及びＳＰＳデータに対する応答信号のいずれも発生しない場合（図示せず）＞
この場合、端末６００は、ＰＵＣＣＨリソースにおけるＳＲ及び応答信号の送信を行わない。
【０２１４】
以上、ＳＲの発生状況及びＳＰＳデータに対する応答信号の発生状況に応じた端末６００における送信制御処理の詳細な動作について説明した。
【０２１５】
このように、端末６００では、実施の形態２と同様にして、同一サブフレーム内で、ＳＰＳデータに対する応答信号が発生したか否かに関わらず、ＳＲが発生した場合と、ＳＲが発生しない場合とで、共通リソースに割り当てられる信号（ＳＲ、又は、ＳＰＳデータに対する応答信号）の位相回転量を変化させる。
【０２１６】
換言すると、端末６００は、あるサブフレーム内にＳＲとＳＰＳデータに対する応答信号とが同時に発生した場合及びあるサブフレーム内にＳＲのみが発生した場合にＳＲリソース及び共通リソースで同一内容の信号（ＡＣＫ又はＮＡＣＫ）がそれぞれ配置される位相点間の位相差と、あるサブフレーム内にＳＰＳデータに対する応答信号のみが発生した場合にＡＣＫ／ＮＡＣＫリソース及び共通リソースで同一内容の信号（ＡＣＫ又はＮＡＣＫ）がそれぞれ配置される位相点間の位相差、とを互いに異ならせる。
【０２１７】
これにより、基地局５００では、実施の形態２と同様、ＳＲリソース及び共通リソースの組、及び、ＡＣＫ／ＮＡＣＫリソース及び共通リソースの組のうち、誤ったリソースの組におけるＭＲＣ後の合成結果と、応答信号の信号点との間には位相回転量に相当する分の位相差が生じる。つまり、基地局５００では、ＳＲリソース及び共通リソースの組及びＡＣＫ／ＮＡＣＫリソース及び共通リソースの組うち、誤ったリソースの組（つまり、端末６００によって用いられていないリソースの組）の合成結果は、応答信号の信号点から大きく離れる可能性が高くなる。
【０２１８】
すなわち、基地局５００では、誤ったリソースの組に基づいて算出される尤度は、正しいリソースの組に基づいて算出される尤度よりも大きく劣化する可能性が高い。よって、基地局５００では、実施の形態２と同様、正しいリソースの組と誤ったリソースの組との間で尤度の差を大きく異ならせることができる。このため、ＳＲリソース及び共通リソースの組及びＡＣＫ／ＮＡＣＫリソース及び共通リソースの組のいずれが端末６００で用いられたかを判定する判定精度を向上させることができる。
【０２１９】
このようにして、本実施の形態によれば、端末がＳＰＳデータを受信する場合にも、実施の形態２と同様、上り制御チャネル（ＰＵＣＣＨ）のオーバーヘッドが増加することを抑えることができ、さらに、基地局において端末が用いたリソースの判定精度を向上させることが可能となる。
【０２２０】
なお、本実施の形態では、基地局５００が端末６００に対してＳＰＳデータを送信する際に下り割当制御情報を送信しない場合について説明した。しかし、基地局５００は、必要に応じてＳＰＳデータに対しても下り割当制御情報を合わせて送信してもよい。すなわち、基地局５００が何らかの事情で、端末６００に予め通知してある下りリソース（又は、その他のパラメータ（ＭＣＳ等））以外のリソース（又は、パラメータ）を用いてＳＰＳデータを送信する場合には、当該ＳＰＳデータと共に下り割当制御情報を送信する。この場合、端末側では下り割当制御情報を受信できるため、端末６００は当該ＳＰＳデータに対する応答信号向けのリソースとして、下り割当制御情報が占有していたＣＣＥに対応するＡＣＫ／ＮＡＣＫリソースを特定する。
【０２２１】
以上、本発明の各実施の形態について説明した。
【０２２２】
なお、上記実施の形態では、端末が常にＳＣＴＤ（ＳＯＲＴＤ）により上り制御信号を送信する場合について説明した。しかし、基地局が必要に応じて端末にＳＣＴＤ送信を行うように設定（Configure）し、ＳＣＴＤを設定する際に共通リソースに関する情報を同時に通知してもよい。この場合、端末側は、ＳＣＴＤ送信を指示されない限り、通常のＬＴＥと同様の手法を用いて（すなわち、ＳＲリソース、ＳＰＳ−ＡＣＫ／ＮＡＣＫリソース又はＡＣＫ／ＮＡＣＫリソースのうちいずれか１つのみを用いて）、上り制御信号を送信する。一方、基地局が端末に対してＳＣＴＤを設定した後は、端末側は、ＳＲリソース、ＳＰＳ−ＡＣＫ／ＮＡＣＫリソース又はＡＣＫ／ＮＡＣＫリソースのうちいずれか１つ、及び基地局から別途通知された共通リソース（すなわち合計２つのリソース）を用いてＳＣＴＤによる信号送信制御を行う。
【０２２３】
また、上記実施の形態では、ＰＵＣＣＨリソースにおける１次拡散にＺＡＣ系列を用い、２次拡散に直交符号系列としてウォルシュ系列とＤＦＴ系列の組を用いる場合について説明した。しかし、本発明では、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、又は、コンピュータによってランダムに生成された時間軸上での自己相関特性が急峻な系列等を１次拡散に用いてもよい。また、２次拡散には、互いに直交する系列、又は、互いにほぼ直交すると見なせる系列であればいかなる系列を直交符号系列として用いてもよい。以上の説明では、ＺＡＣ系列の循環シフト量と直交符号系列の系列番号とによって応答信号のリソース（例えば、ＰＵＣＣＨリソース）が定義されている。
【０２２４】
また、上記実施の形態では、端末が応答信号のみを送信する際と、ＳＲ及び応答信号を同時に送信する際とで用いるリソースを異ならせる場合を一例に挙げて説明した。しかし、本発明は、端末がＳＲ及び応答信号を送信する場合に限定されず、例えば、端末が複数のＡＣＫ／ＮＡＣＫリソースのうち、２つのＡＣＫ／ＮＡＣＫリソースを選択して応答信号を送信する、所謂Ｃｈａｎｎｅｌ  Ｓｅｌｅｃｔｉｏｎが用いられる場合にも本発明を適用することができる。例えば、端末は、複数のＡＣＫ／ＮＡＣＫリソースの中から、どの２つのＡＣＫ／ＮＡＣＫリソースを選択するかに応じて、選択した２つのＡＣＫ／ＮＡＣＫリソースのうち一方のＡＣＫ／ＮＡＣＫリソースで送信される信号の位相を回転（ｅｘｐ（ｊπ／２）を乗算）させるか否かを制御してもよい。
【０２２５】
また、上記実施の形態では、端末が送信する応答信号がＢＰＳＫで変調される場合について説明した。しかし、応答信号が、ＢＰＳＫに限らず、例えば、ＱＰＳＫで変調される場合にも本発明を適用することができる。例えば、あるサブフレーム内でＳＲと応答信号とが同時に発生した場合には、端末は、図１７に示すように、共通リソースに割り当てられた応答信号の位相を４５度だけ回転させる（応答信号にｅｘｐ（ｊπ／４）を乗算する）ことにより、上記実施の形態と同様の効果を得ることができる。
【０２２６】
また、上記実施の形態ではアンテナとして説明したが、本発明はアンテナポート（antenna port）でも同様に適用できる。
【０２２７】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２２８】
例えば3GPP LTEにおいては、アンテナポートが何本の物理アンテナから構成されるかは規定されず、基地局が異なる参照信号（Reference signal）を送信できる最小単位として規定されている。
【０２２９】
また、アンテナポートはプリコーディングベクトル（Precoding vector）の重み付けを乗算する最小単位として規定されることもある。
【０２３０】
また、上記実施の形態では、本発明をハードウェアで構成する場合を例にとって説明したが、本発明はソフトウェアで実現することも可能である。
【０２３１】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３２】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２３３】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２３４】
２００９年８月１７日出願の特願２００９−１８８７６０および２０１０年２月９日出願の特願２０１０−０２６９４３の日本出願に含まれる明細書、図面および要約書の開示内容は、すべて本願に援用される。
【産業上の利用可能性】
【０２３５】
本発明は、移動体通信システム等に適用することができる。
【符号の説明】
【０２３６】
１００，３００，５００  基地局
２００，４００，６００  端末
１０１，２０８，４０８，５０１，６０８  制御部
１０２  制御情報生成部
１０３，１０５  符号化部
１０４，１０７，２２１  変調部
１０６  データ送信制御部
１０８  マッピング部
１０９，２２３，２２６  ＩＦＦＴ部
１１０，２２４，２２７  ＣＰ付加部
１１１，２１４  無線送信部
１１２，２０１  無線受信部
１１３，２０２  ＣＰ除去部
１１４  ＰＵＣＣＨ抽出部
１１５  逆拡散部
１１６，５１６  系列制御部
１１７  相関処理部
１１８，２０７，３１８  判定部
１１９  再送制御信号生成部
２０３  ＦＦＴ部
２０４，６０４  抽出部
２０５，２０９  復調部
２０６，２１０  復号部
２１１  ＣＲＣ部
２１２  応答信号生成部
２１３  上り制御チャネル信号生成部
２２２，２２５，２２８  拡散部
２２９  多重部
３０１，４０１  位相回転部
【図１】
0005526135.tif 000002
【図２】
0005526135.tif 000003
【図３】
0005526135.tif 000004
【図４】
0005526135.tif 000005
【図５】
0005526135.tif 000006
【図６】
0005526135.tif 000007
【図７】
0005526135.tif 000008
【図８】
0005526135.tif 000009
【図９】
0005526135.tif 000010
【図１０】
0005526135.tif 000011
【図１１】
0005526135.tif 000012
【図１２】
0005526135.tif 000013
【図１３】
0005526135.tif 000014
【図１４】
0005526135.tif 000015
【図１５】
0005526135.tif 000016
【図１６】
0005526135.tif 000017
【図１７】
0005526135.tif 000018